(57)【要約】【課題】医療現場にて調剤される薬剤の投与ミスを防止する。【解決手段】薬剤を調合して混合薬剤を作成する調剤ユニット２に設けられた識別情報読取部３７が、薬瓶９００のバーコード９０３を読み取ると、識別情報記録部３２１が、読み取られた識別情報をラベルＬに記録する。シリンジ８００に充填された混合薬剤を患者に投与するときに、インジェクタユニット４の識別情報読取部４５が、シリンジ８００に貼付されたラベルＬの識別情報を読み取る。情報記憶部４７には、制御ユニット２から取得した当該混合薬剤の薬剤情報が記憶されている。制御部４０は、ラベルＬから読み取られた識別情報に関連付けられた当該混合薬剤の薬剤情報に基づいて、ＬＥＤ４４や制御ユニット２の報知部２２に報知を行わせる。【選択図】図１
2007117572.tif 000002
【特許請求の範囲】
【請求項１】
薬剤を調合して混合薬剤を作成する調剤手段と、
前記調合される薬剤のケースに付された識別情報を読み取る第１の読取手段と、
前記読み取られた識別情報に基づいて、前記作成される混合薬剤の識別情報をシリンジに添付可能な記録媒体に記録する記録手段と、
混合薬剤に関する薬剤情報を該混合薬剤の識別情報に関連付けて記憶する記憶手段と、
シリンジに充填された混合薬剤を患者に投与するときに、該シリンジに添付されている記録媒体に記録された当該混合薬剤の識別情報を読み取る第２の読取手段と、
報知手段と、
前記第２の読取手段により読み取られた識別情報に関連付けられた薬剤情報を前記記憶手段から読み出し、該読み出された薬剤情報に基づいて前記報知手段に報知を行わせる制御手段と、
を備える、
ことを特徴とする薬剤投与システム。
【請求項２】
時刻を計時する計時手段を更に備え、
前記記憶手段に記憶された薬剤情報は、混合薬剤の保管可能期間を含み、
前記記憶手段は、前記調剤手段により混合薬剤が作成されたときに前記計時手段により計時されている第１の時刻を記憶し、
前記制御手段は、
前記第２の読取手段により前記識別情報が読み取られたときに前記計時手段により計時されている第２の時刻と、前記記憶された前記第１の時刻との時間間隔を算出する算出手段と、
該算出された時間間隔が、前記薬剤情報の保管可能期間を超えているか否か判断する判断手段と、
を備え、
前記時間間隔が前記保管可能期間を超えていると前記判断されたときに、前記報知手段に報知を行わせる、
ことを特徴とする請求項１に記載の薬剤投与システム。
【請求項３】
シリンジに充填された混合薬剤を患者に注入する注入手段を更に備え、
前記制御手段は、前記時間間隔が前記保管可能期間を超えていると前記判断手段により判断されたときに、前記注入手段を制御して混合薬剤の注入を禁止させる、
ことを特徴とする請求項２に記載の薬剤投与システム。
【請求項４】
前記制御手段は、前記計時手段により計時される時刻に基づき、前記第１の時刻から前記保管可能期間よりも短い所定時間が経過したときに前記報知手段に報知を行わせる、
ことを特徴とする請求項２又は請求項３に記載の薬剤投与システム。
【請求項５】
前記記録手段は、前記第１の時刻を前記記録媒体に記録する、
ことを特徴とする請求項２〜請求項４のいずれか一項に記載の薬剤投与システム。
【請求項６】
前記記憶手段に記憶された混合薬剤の薬剤情報は、当該混合薬剤の患者への注入速度の許容範囲を含み、
シリンジによる当該混合薬剤の注入速度をユーザが指定するための操作手段を更に備え、
前記制御手段は、
前記第２の読取手段により読み取られた当該シリンジに添付されている記録媒体に記録された識別情報に基づいて、当該混合薬剤の薬剤情報に含まれる前記注入速度の許容範囲を取得し、
前記指定された注入速度が該許容範囲に含まれるか否か判断し、含まれないと前記判断されたときに前記報知手段に報知を行わせる、
ことを特徴とする請求項１に記載の薬剤投与システム。
【請求項７】
前記記憶手段に記憶された混合薬剤の薬剤情報は、当該混合薬剤の患者への注入量の許容範囲を含み、
シリンジによる当該混合薬剤の注入量をユーザが指定するための操作手段を更に備え、
前記制御手段は、
前記第２の読取手段により読み取られた当該シリンジに添付されている記録媒体に記録された識別情報に基づいて、当該混合薬剤の薬剤情報に含まれる前記注入量の許容範囲を取得し、
前記指定された注入量が該許容範囲に含まれるか否か判断し、含まれないと前記判断されたときに前記報知手段に報知を行わせる、
ことを特徴とする請求項１に記載の薬剤投与システム。
【請求項８】
患者識別情報を入力する入力手段を更に備え、
前記記憶手段に記憶された混合薬剤の薬剤情報は、当該混合薬剤との併用に注意を要する薬剤の識別情報を含む禁忌情報を含み、
前記記憶手段は、更に、シリンジで混合薬剤が投与される患者に対して過去に投与された薬剤の識別情報を含む投薬履歴情報を患者識別情報に関連付けて記憶し、
前記制御手段は、
前記入力手段により入力された患者識別情報に基づいて、当該患者の前記投薬履歴情報を取得し、
前記第２の読取手段により読み取られた当該患者に投与される混合薬剤が充填されたシリンジに添付されている記録媒体に記録された識別情報に基づいて、当該混合薬剤の薬剤情報に含まれる前記禁忌情報を取得し、
該投薬履歴情報に含まれる薬剤の識別情報が該禁忌情報に含まれる薬剤の識別情報に一致するときに、前記報知手段に報知を行わせる、
ことを特徴とする請求項１に記載の薬剤投与システム。
【請求項９】
患者識別情報を入力する入力手段を更に備え、
前記記憶手段は、更に、シリンジで混合薬剤が投与される患者について、投与に注意を要する薬剤の識別情報を含む禁忌情報を患者識別情報に関連付けて記憶し、
前記制御手段は、
前記入力手段により入力された患者識別情報に基づいて、当該患者の前記禁忌情報を取得し、
前記第２の読取手段により読み取られた当該患者に投与される混合薬剤が充填されたシリンジに添付されている記録媒体に記録された当該混合薬剤の識別情報が、該禁忌情報に含まれる薬剤の識別情報に一致するときに、前記報知手段に報知を行わせる、
ことを特徴とする請求項１に記載の薬剤投与システム。
【請求項１０】
シリンジに充填された混合薬剤を患者に注入する注入手段を更に備え、
前記制御手段は、前記報知手段に報知を行わせるときに、前記注入手段を制御して混合薬剤の注入を禁止させる、
ことを特徴とする請求項６〜請求項９のいずれか一項に記載の薬剤投与システム。
【請求項１１】
前記調剤手段に粉体状又は固体状の第１の薬剤を液体状の第２の薬剤に溶解させて混合薬剤を作成させるときに、当該混合薬剤における前記第１の薬剤の濃度をユーザが指定するための操作手段を更に備え、
前記記憶手段に記憶された混合薬剤の薬剤情報は、当該混合薬剤における前記第１の薬剤の濃度の許容範囲を含み、
前記制御手段は、
前記第１の読取手段により読み取られた前記第１の薬剤の識別情報に基づいて、当該混合薬剤の薬剤情報に含まれる前記濃度の許容範囲を取得し、
前記指定された濃度が該許容範囲に含まれるか否か判断し、
含まれないと前記判断されたときに前記報知手段に報知を行わせ、
含まれると前記判断されたときに前記調剤手段に前記第１の薬剤を前記第２の薬剤に溶解させる、
ことを特徴とする請求項１に記載の薬剤投与システム。
【請求項１２】
患者識別情報を入力する入力手段を更に備え、
前記記憶手段に記憶された混合薬剤の薬剤情報は、当該混合薬剤との併用に注意を要する薬剤の識別情報を含む禁忌情報を含み、
前記記憶手段は、更に、シリンジで混合薬剤が投与される患者に対して過去に投与された薬剤の識別情報を含む投薬履歴情報を患者識別情報に関連付けて記憶し、
前記制御手段は、
前記入力手段により入力された患者識別情報に基づいて当該患者の前記投薬履歴情報を取得し、
前記第１の読取手段により読み取られた薬剤の識別情報に基づいて当該混合薬剤の薬剤情報に含まれる前記禁忌情報を取得し、
該投薬履歴情報に含まれる薬剤の識別情報が該禁忌情報に含まれる薬剤の識別情報に一致するときに、前記報知手段に報知を行わせる、
ことを特徴とする請求項１に記載の薬剤投与システム。
【請求項１３】
患者識別情報を入力する入力手段を更に備え、
前記記憶手段は、更に、シリンジで混合薬剤が投与される患者について、投与に注意を要する薬剤の識別情報を含む禁忌情報を患者識別情報に関連付けて記憶し、
前記制御手段は、
前記入力手段により入力された患者識別情報に基づいて当該患者の前記禁忌情報を取得し、
前記第１の読取手段により読み取られた識別情報が、該禁忌情報に含まれる薬剤の識別情報に一致するときに、前記報知手段に報知を行わせる、
ことを特徴とする請求項１に記載の薬剤投与システム。
【請求項１４】
前記制御手段は、前記報知手段に報知を行わせるときに、前記調剤手段を制御して混合薬剤の作成を禁止させる、
ことを特徴とする請求項１１〜請求項１３のいずれか一項に記載の薬剤投与システム。
【請求項１５】
前記記憶手段は、ケースに格納されている薬剤の分量の許容範囲の情報を当該薬剤の識別情報に関連付けて記憶し、
前記第１の読取手段により薬剤のケースに付された識別情報が読み取られたことに対応し、当該ケースに格納されている当該薬剤の分量を計測する分量計測手段を更に備え、
前記制御手段は、
前記読み取られた識別情報に基づいて前記分量の許容範囲を取得し、
前記計測された当該薬剤の分量が該許容範囲に含まれないときに前記報知手段に報知を行わせる、
ことを特徴とする請求項１に記載に薬剤投与システム。
【請求項１６】
前記調剤手段は、
液体状の第２の薬剤をシリンジに充填する液体充填手段と、
ケースに封入された粉体状又は固体状の第１の薬剤の当該ケース内に、前記第２の薬剤が充填されたシリンジの針を挿入させる挿入手段と、
当該シリンジのシリンダ部を固定した状態で、そのピストン部を前記シリンダ部に対し相対的に移動させて、前記充填された第２の薬剤を前記第１の薬剤のケース内に注入するとともに、前記ピストン部を前記シリンダ部に対して相対的に反復移動させて前記ケースの内容物の当該シリンジへの吸引と当該シリンジから前記ケースへの注入を繰り返すことにより、前記第１の薬剤を前記第２の薬剤に溶解させて混合薬剤を作成するピストン移動手段と、
を備える、
ことを特徴とする請求項１に記載の薬剤投与システム。
【請求項１７】
前記調剤手段は、
液体状の第２の薬剤をシリンジに充填する液体充填手段と、
ケースに封入された粉体状又は固体状の第１の薬剤の当該ケース内に、前記薬剤が充填されたシリンジの針を挿入させる挿入手段と、
当該シリンジのシリンダ部を固定した状態で、そのピストン部を前記シリンダ部に対し相対的に移動させて、前記充填された第２の薬剤を前記第１の薬剤のケース内に注入するピストン移動手段と、
前記第２の薬剤が注入された前記ケースの内容物を撹拌することにより、前記第１の薬剤を前記第２の薬剤に溶解させて混合薬剤を作成する撹拌手段と、
を備える、
ことを特徴とする請求項１に記載の薬剤投与システム。
【請求項１８】
前記記憶手段は、更に、前記調剤手段により作成される混合薬剤のシリンジへの充填量を記憶し、
前記記憶された充填量に基づき前記ピストン移動手段を制御して、前記ピストン部を前記シリンダ部に対し相対的に所定距離だけ移動させることにより、前記混合薬剤を前記ケースから当該充填量だけ吸引させる充填制御手段を更に備える、
ことを特徴とする請求項１６又は請求項１７に記載の薬剤投与システム。
【請求項１９】
前記シリンジに充填された混合薬剤の濃度を計測する濃度計測手段を更に備え、
前記記憶手段に記憶された混合薬剤の薬剤情報は、前記調剤手段により作成される混合薬剤の濃度の許容範囲を含み、
前記制御手段は、
前記計測された混合薬剤の濃度が前記記憶された許容範囲に含まれるか否か判断し、
含まれないと前記判断されたときに前記報知手段に報知を行わせる、
ことを特徴とする請求項１６又は請求項１７に記載の薬剤投与システム。
【請求項２０】
前記第２の薬剤の残量を検出する残量検出手段を更に備え、
前記制御手段は、前記検出された残量が所定量以下であるときに前記報知手段に報知を行わせる、
ことを特徴とする請求項１６〜請求項１９のいずれか一項に記載の薬剤投与システム。
【請求項２１】
前記記録媒体は、一部に接着剤が付されたラベル部材であり、
前記記録手段により混合薬剤の識別情報が記録された前記ラベル部材をシリンジに貼付する貼付手段を更に備える、
ことを特徴とする請求項１〜請求項２０のいずれか一項に記載の薬剤投与システム。
【請求項２２】
混合薬剤の投与に使用されたシリンジを保管する保管手段と、
前記保管手段に保管されるシリンジに添付されている記録媒体に記録された識別情報を読み取る第３の読取手段と、
表示手段と、
を更に備え、
前記制御手段は、
前記第１の読取手段により読み取られた識別情報に基づいて、前記調剤手段により作成された混合薬剤の識別情報を前記表示手段に表示させ、
前記第３の読取手段により識別情報が読み取られたことに対応し、前記表示手段に表示されている当該識別情報を消去する、
ことを特徴とする請求項１に記載の薬剤投与システム。
【請求項２３】
シリンジに充填された薬品を患者に投与するための薬剤投与システムであって、
薬剤を調合してシリンジに充填される混合薬剤を作成する調剤手段と、
前記調合される薬剤のケースに付された識別情報を読み取る読取手段と、
前記作成される混合薬剤に関する所定の調剤情報を入力する調剤情報入力手段と、
記憶手段と、
前記入力された所定の調剤情報を前記読み取られた識別情報に関連付けて前記記憶手段に記憶させる制御手段と、
を備えることを特徴とする薬剤投与システム。
【請求項２４】
シリンジに充填された薬品を患者に投与するための薬剤投与システムであって、
シリンジに充填された薬剤を患者に投与するときに、該シリンジに添付されている記録媒体に記録された当該薬剤の識別情報を読み取る読取手段と、
前記投与される薬剤に関する所定の投与情報を入力する投与情報入力手段と、
記憶手段と、
前記入力された所定の投与情報を前記読み取られた識別情報に関連付けて前記記憶手段に記憶させる制御手段と、
を備える、
ことを特徴とする薬剤投与システム。
【請求項２５】
シリンジに充填された薬品を患者に投与するための薬剤投与システムであって、
薬剤を調合してシリンジに充填される混合薬剤を作成する調剤手段と、
前記調合される薬剤のケースに付された識別情報を読み取る第１の読取手段と、
前記作成される混合薬剤に関する所定の調剤情報を入力する調剤情報入力手段と、
前記読み取られた識別情報に基づいて、前記作成される混合薬剤の識別情報をシリンジに添付可能な記録媒体に記録する記録手段と、
シリンジに充填された混合薬剤を患者に投与するときに、該シリンジに添付されている記録媒体に記録された当該混合薬剤の識別情報を読み取る第２の読取手段と、
前記投与される混合薬剤に関する所定の投与情報を入力する投与情報入力手段と、
記憶手段と、
前記調剤情報入力手段により入力された所定の調剤情報を前記第１の読取手段により読み取られた識別情報に関連付けて前記記憶手段に記憶させるとともに、前記第２の読取手段により読み取られた識別情報が前記第１の読取手段により読み取られた識別情報に一致するか否かを判断し、一致すると前記判断されたときに、前記投与情報入力手段により入力された所定の投与情報を当該識別情報に関連付けて前記記憶手段に記憶させる制御手段と、
を備える、
ことを特徴とする薬剤投与システム。
【請求項２６】
前記調剤情報入力手段は、前記調剤手段により作成された混合薬剤に含まれる所定の薬剤の濃度を計測する濃度計測手段を含み、
前記制御手段は、前記計測された所定の薬剤の濃度を含む前記所定の調剤情報を前記記憶手段に記憶させる、
ことを特徴とする請求項２３又は請求項２５に記載の薬剤投与システム。
【請求項２７】
前記調剤情報入力手段は、前記調剤手段により作成される混合薬剤に含まれる所定の薬剤の濃度をユーザが指定するための操作手段を含み、
前記制御手段は、前記指定された所定の薬剤の濃度を含む前記所定の調剤情報を前記記憶手段に記憶させる、
ことを特徴とする請求項２３又は請求項２５に記載の薬剤投与システム。
【請求項２８】
前記投与情報入力手段は、前記調剤手段により作成された混合薬剤に含まれる所定の薬剤の濃度を計測する濃度計測手段を含み、
前記制御手段は、前記第１の読取手段及び第２の読取手段によりそれぞれ読み取られた識別情報が一致すると判断されたときに、前記計測された所定の薬剤の濃度を含む前記所定の投与情報を前記記憶手段に記憶させる、
ことを特徴とする請求項２５に記載の薬剤投与システム。
【請求項２９】
前記投与情報入力手段は、前記調剤手段により作成される混合薬剤に含まれる所定の薬剤の濃度をユーザが指定するための操作手段を含み、
前記制御手段は、前記第１の読取手段及び第２の読取手段によりそれぞれ読み取られた識別情報が一致すると判断されたときに、前記指定された所定の薬剤の濃度を含む前記所定の投与情報を前記記憶手段に記憶させる、
ことを特徴とする請求項２５に記載の薬剤投与システム。
【請求項３０】
時刻を計時する計時手段を更に備え、
前記制御手段は、前記調剤手段により混合薬剤が作成されたときに前記計時手段により計時されている時刻を含む前記所定の調剤情報を前記記憶手段に記憶させる、
ことを特徴とする請求項２３又は請求項２５に記載の薬剤投与システム。
【請求項３１】
時刻を計時する計時手段を更に備え、
前記制御手段は、シリンジに充填された混合薬剤の患者への投与を開始するときに、前記計時手段により計時されている時刻を含む前記所定の投与情報を前記記憶手段に記憶させる、
ことを特徴とする請求項２４又は請求項２５に記載の薬剤投与システム。
【請求項３２】
時刻を計時する計時手段を更に備え、
前記制御手段は、
前記調剤手段により混合薬剤が作成されたときに前記計時手段により計時されている第１の時刻を含む前記所定の調剤情報を前記記憶手段に記憶させ、
シリンジに充填された混合薬剤の患者への投与を終了したときに、前記計時手段により計時されている第２の時刻を含む前記所定の投与情報を前記記憶手段に記憶させる、
ことを特徴とする請求項２５に記載の薬剤投与システム。
【請求項３３】
前記投与情報入力手段は、シリンジによる混合薬剤の注入速度をユーザが指定するための操作手段を含み、
前記制御手段は、前記指定された注入速度を含む前記所定の投与情報を前記記憶手段に記憶させる、
ことを特徴とする請求項２４又は請求項２５に記載の薬剤投与システム。
【請求項３４】
前記投与情報入力手段は、シリンジによる混合薬剤の注入量をユーザが指定するための操作手段を含み、
前記制御手段は、前記指定された注入量を含む前記所定の投与情報を前記記憶手段に記憶させる、
ことを特徴とする請求項２４又は請求項２５に記載の薬剤投与システム。
【請求項３５】
混合薬剤の投与に使用されたシリンジを保管する保管手段と、
前記保管手段に保管されるシリンジに添付されている記録媒体に記録された識別情報を読み取る第３の読取手段と、
を更に備え、
前記制御手段は、前記第３の読取手段により識別情報が読み取られたことに対応し、当該識別情報が添付されたシリンジが廃棄されたことを示す廃棄済情報を、当該識別情報に関連付けて前記記憶手段に記憶させる、
ことを特徴とする請求項２５に記載の薬剤投与システム。
【請求項３６】
患者に投与された薬品の識別情報に基づいて、当該薬品の投与の対価を算出するコンピュータにネットワークを介して接続され、
前記ネットワークを介して前記コンピュータと通信する通信手段を更に備え、
前記制御手段は、前記通信手段を制御して、前記シリンジに添付されている記録媒体から前記読み取られた識別情報を前記コンピュータに送信する、
ことを特徴とする請求項２４又は請求項２５に記載の薬剤投与システム。
【請求項３７】
粉体状又は固体状の第１の薬剤を液体状の第２の薬剤に溶解させて混合薬剤を作成する薬剤調合装置であって、
前記第１の薬剤のケースに付された識別情報を読み取る読取手段と、
前記読み取られた識別情報に基づいて、前記作成される混合薬剤の識別情報をシリンジに添付可能な記録媒体に記録する記録手段と、
前記第２の薬剤をシリンジに充填する液体充填手段と、
ケースに封入された前記第１の薬剤の当該ケース内に、前記第２の薬剤が充填されたシリンジの針を挿入させる挿入手段と、
当該シリンジのシリンダ部を固定した状態で、そのピストン部を前記シリンダ部に対し相対的に移動させて、前記充填された第２の薬剤を前記第１の薬剤のケース内に注入するとともに、前記ピストン部を前記シリンダ部に対して相対的に反復移動させて前記ケースの内容物の当該シリンジへの吸引と当該シリンジから前記ケースへの注入を繰り返すことにより、前記第１の薬剤を前記第２の薬剤に溶解させて混合薬剤を作成するピストン移動手段と、
を備える、
ことを特徴とする薬剤調合装置。
【請求項３８】
粉体状又は固体状の第１の薬剤を液体状の第２の薬剤に溶解させて混合薬剤を作成する薬剤調合装置であって、
前記第１の薬剤のケースに付された識別情報を読み取る読取手段と、
前記読み取られた識別情報に基づいて、前記作成される混合薬剤の識別情報をシリンジに添付可能な記録媒体に記録する記録手段と、
前記第２の薬剤をシリンジに充填する液体充填手段と、
ケースに封入された前記第１の薬剤の当該ケース内に、前記第２の薬剤が充填されたシリンジの針を挿入させる挿入手段と、
当該シリンジのシリンダ部を固定した状態で、そのピストン部を前記シリンダ部に対し相対的に移動させて、前記充填された第２の薬剤を前記第１の薬剤のケース内に注入するピストン移動手段と、
前記第２の薬剤が注入された前記ケースの内容物を撹拌することにより、前記第１の薬剤を前記第２の薬剤に溶解させて混合薬剤を作成する撹拌手段と、
を備える、
ことを特徴とする薬剤調合装置。
【請求項３９】
前記作成される混合薬剤のシリンジへの充填量を記憶する記憶手段と、
前記記憶された前記薬剤情報の充填量に基づき前記ピストン移動手段を制御して、前記ピストン部を前記シリンダ部に対し相対的に所定距離だけ移動させることにより、前記作成された混合薬剤を前記ケースから当該充填量だけ吸引させる充填制御手段と
を更に備えることを特徴とする請求項３７又は請求項３８に記載の薬剤調合装置。
【請求項４０】
前記記録媒体は、一部に接着剤が付されたラベル部材であり、
前記記録手段により混合薬剤の識別情報が記録された前記ラベル部材をシリンジに貼付する貼付手段を更に備える、
ことを特徴とする請求項３７又は請求項３８に記載の薬剤調合装置。
【発明の詳細な説明】
【技術分野】
【０００１】
本発明は、シリンジを用いて薬剤を患者に投与するための薬剤投与システム、及び、その薬剤の調合を行う薬剤調合装置に関する。
【背景技術】
【０００２】
医療分野における薬剤の投与方法としては、シリンジ（注射器）による方法が従来から広く用いられている。シリンジを用いて投薬を行う場合、粉末若しくは塊の形態で保管されている薬剤を生理食塩水等の液体で溶解し、それをシリンジに充填して患者に投与する。
【０００３】
粉末や塊として保管される薬剤の多くは、溶解後速やかに患者に投与することが望ましいとされている。たとえば非脱分極性筋弛緩薬、静脈麻酔薬、アドレナリンβ受容体遮断薬（βブロッカー）、タンパク分解酵素阻害薬、多くの抗生物質などには、溶解後の保管期限が明記されており、この保管期限内に投与する必要がある。
【０００４】
特許文献１には、薬剤の溶解作業を自動化して、省力で安全正確な反復調合を図った装置が開示されている。この装置は、複数のポートから選択的に薬液を吸引して調合容器に送り出す調合ポンプ装置と、調合容器を秤量する秤量器と、各薬液の薬剤情報や処方箋情報を入力するための入力装置と、処方薬液と処方量およびポートを指定してポンプ作動制御情報を生成する情報処理装置と、入力装置および情報処理装置からの情報を格納する記憶装置と、情報処理装置の処理内容を表示する出力装置と、情報処理装置から各情報を受取って調合ポンプ装置を制御すると共に秤量器からの計測信号と薬液の比重および処方量から求まる理論質量とに基づいて調合容器に送り込むべき薬液量を指示する制御装置と、ポンプ作動制御信号をコード表の読取により制御装置を介して調合ポンプに与える読取装置とを備えるものである。
【０００５】
また、同文献の装置には、薬剤の調合結果を示すバーコードをラベルに印刷するラベルプリンタが設けられている。印刷されたラベルは、調合容器に貼り付けられ、読取装置によってバーコードが読み取られる。読み取られた情報は、調合ポンプの制御に用いられる。
【０００６】
特許文献２には、不適切な薬剤を患者に投与してしまう医療ミス（投与ミス）を防止するための発明が開示されている。この発明は、薬液が充填されているシリンダ部材にピストン部材がスライド自在に挿入されていて梱包材に密封された状態で出荷される複数種類のシリンジ（プレフィルドタイプのシリンジ）と、梱包材から取り出されて装填されたシリンジのシリンダ部材とピストン部材とを注入実行機構で相対移動させて薬液を患者に注入させる薬液注入装置と、を少なくとも有するものであって、シリンジの梱包材とシリンダ部材とピストン部材との少なくとも１つに薬液の識別データが記録されており、識別データごとに少なくとも薬液の各種データからなる薬液データを記憶しているデータ記憶手段と、シリンジから識別データを読み取るデータ読取手段と、読み取られた識別データで記憶されている薬液データを検索するデータ検索手段と、検索された薬液データを表示出力するデータ表示手段とを備えるものである。この発明により、投薬目的に対して使用する薬剤が不適切であることや、薬剤濃度が不適切であることを検出して警告を発することができる。
【０００７】
【特許文献１】特開平９−２２５００８号公報
【特許文献２】特開２００４−２９８５５０号公報
【発明の開示】
【発明が解決しようとする課題】
【０００８】
従来、薬剤の溶解やシリンジへの充填は、手作業で行われるのが通常であった（特許文献１の装置等は、広く使用されてはいない。）。たとえばナースセンターで事前に溶解、充填しておき、そのシリンジを病室などに持参して患者に投与している。このような場合、薬品の溶解日時を記録しないことがあり、したがって、溶解後の保管期限内であるか確認をしないまま患者に投与されてしまうことがあった。同様に、手術などの溶解日時を記録する余裕のないような医療現場においても、溶解後の保管期限の確認をせずに患者に投与してしまうことがあった。
【０００９】
更に、溶解日時を記録したにも拘わらず投薬を忘れてしまうこと、溶解作業を一時中断した場合などに生理食塩水のみをシリンジに充填してしまうこと、複数の薬剤を使用する際にシリンジを取り違えてしまうことなど、様々なミスの発生が懸念される。
【００１０】
また、溶解、充填が必要な薬剤を手術などで使用する際には、溶解作業、充填作業、投与作業のそれぞれにおいて、薬剤名、濃度、投与量等の誤読、誤記、勘違いなどのヒューマンエラーが発生するおそれがあった。それにより、目的と異なる薬剤を投与してしまったり、禁忌の薬剤を投与してしまったり、溶解濃度を間違えて投与量を間違えたり、といった投与ミスを引き起こす危険性が少なからず存在していた。
【００１１】
前述の特許文献１の発明は、調剤の正確性を担保する上では有効に作用するが、投薬時におけるヒューマンエラーを防止できるものではない。また、溶解後の保管期限が設定された薬剤を使用する場合において、投与される薬剤が保管期限以内のものであるかどうか確認することができない。
【００１２】
また、特許文献２の発明は、投薬の正確性を向上させるものではあるが、その適用範囲がプレフィルドタイプのシリンジに限定されていることから、医療現場で薬剤を溶解、充填するときのヒューマンエラーを防止することは不可能である。
【００１３】
本発明は、以上のような問題を解決するために為されたもので、医療現場にて調剤される薬剤の投与ミスを防止することが可能な技術を提供することを目的としている。
【００１４】
また、本発明は、医療現場にて調剤される薬剤を使用する場合における調剤時や投与時の記録ミスを防止することが可能な技術を提供することを他の目的としている。
【課題を解決するための手段】
【００１５】
上記目的を達成するために、請求項１に記載の発明は、薬剤を調合して混合薬剤を作成する調剤手段と、前記調合される薬剤のケースに付された識別情報を読み取る第１の読取手段と、前記読み取られた識別情報に基づいて、前記作成される混合薬剤の識別情報をシリンジに添付可能な記録媒体に記録する記録手段と、混合薬剤に関する薬剤情報を該混合薬剤の識別情報に関連付けて記憶する記憶手段と、シリンジに充填された混合薬剤を患者に投与するときに、該シリンジに添付されている記録媒体に記録された当該混合薬剤の識別情報を読み取る第２の読取手段と、報知手段と、前記第２の読取手段により読み取られた識別情報に関連付けられた薬剤情報を前記記憶手段から読み出し、該読み出された薬剤情報に基づいて前記報知手段に報知を行わせる制御手段と、を備える、ことを特徴とする薬剤投与システムである。
【００１６】
また、請求項２に記載の発明は、請求項１に記載の薬剤投与システムであって、時刻を計時する計時手段を更に備え、前記記憶手段に記憶された薬剤情報は、混合薬剤の保管可能期間を含み、前記記憶手段は、前記調剤手段により混合薬剤が作成されたときに前記計時手段により計時されている第１の時刻を記憶し、前記制御手段は、前記第２の読取手段により前記識別情報が読み取られたときに前記計時手段により計時されている第２の時刻と、前記記憶された前記第１の時刻との時間間隔を算出する算出手段と、該算出された時間間隔が、前記薬剤情報の保管可能期間を超えているか否か判断する判断手段と、を備え、前記時間間隔が前記保管可能期間を超えていると前記判断されたときに、前記報知手段に報知を行わせる、ことを特徴とする。
【００１７】
また、請求項３に記載の発明は、請求項２に記載の薬剤投与システムであって、シリンジに充填された混合薬剤を患者に注入する注入手段を更に備え、前記制御手段は、前記時間間隔が前記保管可能期間を超えていると前記判断手段により判断されたときに、前記注入手段を制御して混合薬剤の注入を禁止させる、ことを特徴とする。
【００１８】
また、請求項６に記載の発明は、請求項１に記載の薬剤投与システムであって、前記記憶手段に記憶された混合薬剤の薬剤情報は、当該混合薬剤の患者への注入速度の許容範囲を含み、シリンジによる当該混合薬剤の注入速度をユーザが指定するための操作手段を更に備え、前記制御手段は、前記第２の読取手段により読み取られた当該シリンジに添付されている記録媒体に記録された識別情報に基づいて、当該混合薬剤の薬剤情報に含まれる前記注入速度の許容範囲を取得し、前記指定された注入速度が該許容範囲に含まれるか否か判断し、含まれないと前記判断されたときに前記報知手段に報知を行わせる、ことを特徴とする。
【００１９】
また、請求項７に記載の発明は、請求項１に記載の薬剤投与システムであって、前記記憶手段に記憶された混合薬剤の薬剤情報は、当該混合薬剤の患者への注入量の許容範囲を含み、シリンジによる当該混合薬剤の注入量をユーザが指定するための操作手段を更に備え、前記制御手段は、前記第２の読取手段により読み取られた当該シリンジに添付されている記録媒体に記録された識別情報に基づいて、当該混合薬剤の薬剤情報に含まれる前記注入量の許容範囲を取得し、前記指定された注入量が該許容範囲に含まれるか否か判断し、含まれないと前記判断されたときに前記報知手段に報知を行わせる、ことを特徴とする。
【００２０】
また、請求項８に記載の発明は、請求項１に記載の薬剤投与システムであって、患者識別情報を入力する入力手段を更に備え、前記記憶手段に記憶された混合薬剤の薬剤情報は、当該混合薬剤との併用に注意を要する薬剤の識別情報を含む禁忌情報を含み、前記記憶手段は、更に、シリンジで混合薬剤が投与される患者に対して過去に投与された薬剤の識別情報を含む投薬履歴情報を患者識別情報に関連付けて記憶し、前記制御手段は、前記入力手段により入力された患者識別情報に基づいて、当該患者の前記投薬履歴情報を取得し、前記第２の読取手段により読み取られた当該患者に投与される混合薬剤が充填されたシリンジに添付されている記録媒体に記録された識別情報に基づいて、当該混合薬剤の薬剤情報に含まれる前記禁忌情報を取得し、該投薬履歴情報に含まれる薬剤の識別情報が該禁忌情報に含まれる薬剤の識別情報に一致するときに、前記報知手段に報知を行わせる、ことを特徴とする。
【００２１】
また、請求項９に記載の発明は、請求項１に記載の薬剤投与システムであって、患者識別情報を入力する入力手段を更に備え、前記記憶手段は、更に、シリンジで混合薬剤が投与される患者について、投与に注意を要する薬剤の識別情報を含む禁忌情報を患者識別情報に関連付けて記憶し、前記制御手段は、前記入力手段により入力された患者識別情報に基づいて、当該患者の前記禁忌情報を取得し、前記第２の読取手段により読み取られた当該患者に投与される混合薬剤が充填されたシリンジに添付されている記録媒体に記録された当該混合薬剤の識別情報が、該禁忌情報に含まれる薬剤の識別情報に一致するときに、前記報知手段に報知を行わせる、ことを特徴とする。
【００２２】
また、請求項１１に記載の発明は、請求項１に記載の薬剤投与システムであって、前記調剤手段に粉体状又は固体状の第１の薬剤を液体状の第２の薬剤に溶解させて混合薬剤を作成させるときに、当該混合薬剤における前記第１の薬剤の濃度をユーザが指定するための操作手段を更に備え、前記記憶手段に記憶された混合薬剤の薬剤情報は、当該混合薬剤における前記第１の薬剤の濃度の許容範囲を含み、前記制御手段は、前記第１の読取手段により読み取られた前記第１の薬剤の識別情報に基づいて、当該混合薬剤の薬剤情報に含まれる前記濃度の許容範囲を取得し、前記指定された濃度が該許容範囲に含まれるか否か判断し、含まれないと前記判断されたときに前記報知手段に報知を行わせ、含まれると前記判断されたときに前記調剤手段に前記第１の薬剤を前記第２の薬剤に溶解させる、ことを特徴とする。
【００２３】
また、請求項１２に記載の発明は、請求項１に記載の薬剤投与システムであって、患者識別情報を入力する入力手段を更に備え、前記記憶手段に記憶された混合薬剤の薬剤情報は、当該混合薬剤との併用に注意を要する薬剤の識別情報を含む禁忌情報を含み、前記記憶手段は、更に、シリンジで混合薬剤が投与される患者に対して過去に投与された薬剤の識別情報を含む投薬履歴情報を患者識別情報に関連付けて記憶し、前記制御手段は、前記入力手段により入力された患者識別情報に基づいて当該患者の前記投薬履歴情報を取得し、前記第１の読取手段により読み取られた薬剤の識別情報に基づいて当該混合薬剤の薬剤情報に含まれる前記禁忌情報を取得し、該投薬履歴情報に含まれる薬剤の識別情報が該禁忌情報に含まれる薬剤の識別情報に一致するときに、前記報知手段に報知を行わせる、ことを特徴とする。
【００２４】
また、請求項１３に記載の発明は、請求項１に記載の薬剤投与システムであって、患者識別情報を入力する入力手段を更に備え、前記記憶手段は、更に、シリンジで混合薬剤が投与される患者について、投与に注意を要する薬剤の識別情報を含む禁忌情報を患者識別情報に関連付けて記憶し、前記制御手段は、前記入力手段により入力された患者識別情報に基づいて当該患者の前記禁忌情報を取得し、前記第１の読取手段により読み取られた識別情報が、該禁忌情報に含まれる薬剤の識別情報に一致するときに、前記報知手段に報知を行わせる、ことを特徴とする。
【００２５】
また、請求項１５に記載の発明は、請求項１に記載に薬剤投与システムであって、前記記憶手段は、ケースに格納されている薬剤の分量の許容範囲の情報を当該薬剤の識別情報に関連付けて記憶し、前記第１の読取手段により薬剤のケースに付された識別情報が読み取られたことに対応し、当該ケースに格納されている当該薬剤の分量を計測する分量計測手段を更に備え、前記制御手段は、前記読み取られた識別情報に基づいて前記分量の許容範囲を取得し、前記計測された当該薬剤の分量が該許容範囲に含まれないときに前記報知手段に報知を行わせる、ことを特徴とする。
【００２６】
また、請求項１９に記載の発明は、請求項１６又は請求項１７に記載の薬剤投与システムであって、前記シリンジに充填された混合薬剤の濃度を計測する濃度計測手段を更に備え、前記記憶手段に記憶された混合薬剤の薬剤情報は、前記調剤手段により作成される混合薬剤の濃度の許容範囲を含み、前記制御手段は、前記計測された混合薬剤の濃度が前記記憶された許容範囲に含まれるか否か判断し、含まれないと前記判断されたときに前記報知手段に報知を行わせる、ことを特徴とする。
【００２７】
また、請求項２３に記載の発明は、シリンジに充填された薬品を患者に投与するための薬剤投与システムであって、薬剤を調合してシリンジに充填される混合薬剤を作成する調剤手段と、前記調合される薬剤のケースに付された識別情報を読み取る読取手段と、前記作成される混合薬剤に関する所定の調剤情報を入力する調剤情報入力手段と、記憶手段と、前記入力された所定の調剤情報を前記読み取られた識別情報に関連付けて前記記憶手段に記憶させる制御手段と、を備えることを特徴とする。
【００２８】
また、請求項２４に記載の発明は、シリンジに充填された薬品を患者に投与するための薬剤投与システムであって、シリンジに充填された薬剤を患者に投与するときに、該シリンジに添付されている記録媒体に記録された当該薬剤の識別情報を読み取る読取手段と、前記投与される薬剤に関する所定の投与情報を入力する投与情報入力手段と、記憶手段と、前記入力された所定の投与情報を前記読み取られた識別情報に関連付けて前記記憶手段に記憶させる制御手段と、を備える、ことを特徴とする。
【００２９】
また、請求項２５に記載の発明は、シリンジに充填された薬品を患者に投与するための薬剤投与システムであって、薬剤を調合してシリンジに充填される混合薬剤を作成する調剤手段と、前記調合される薬剤のケースに付された識別情報を読み取る第１の読取手段と、前記作成される混合薬剤に関する所定の調剤情報を入力する調剤情報入力手段と、前記読み取られた識別情報に基づいて、前記作成される混合薬剤の識別情報をシリンジに添付可能な記録媒体に記録する記録手段と、シリンジに充填された混合薬剤を患者に投与するときに、該シリンジに添付されている記録媒体に記録された当該混合薬剤の識別情報を読み取る第２の読取手段と、前記投与される混合薬剤に関する所定の投与情報を入力する投与情報入力手段と、記憶手段と、前記調剤情報入力手段により入力された所定の調剤情報を前記第１の読取手段により読み取られた識別情報に関連付けて前記記憶手段に記憶させるとともに、前記第２の読取手段により読み取られた識別情報が前記第１の読取手段により読み取られた識別情報に一致するか否かを判断し、一致すると前記判断されたときに、前記投与情報入力手段により入力された所定の投与情報を当該識別情報に関連付けて前記記憶手段に記憶させる制御手段と、を備える、ことを特徴とする。
【００３０】
また、請求項３７に記載の発明は、粉体状又は固体状の第１の薬剤を液体状の第２の薬剤に溶解させて混合薬剤を作成する薬剤調合装置であって、前記第１の薬剤のケースに付された識別情報を読み取る読取手段と、前記読み取られた識別情報に基づいて、前記作成される混合薬剤の識別情報をシリンジに添付可能な記録媒体に記録する記録手段と、前記第２の薬剤をシリンジに充填する液体充填手段と、ケースに封入された前記第１の薬剤の当該ケース内に、前記第２の薬剤が充填されたシリンジの針を挿入させる挿入手段と、当該シリンジのシリンダ部を固定した状態で、そのピストン部を前記シリンダ部に対し相対的に移動させて、前記充填された第２の薬剤を前記第１の薬剤のケース内に注入するとともに、前記ピストン部を前記シリンダ部に対して相対的に反復移動させて前記ケースの内容物の当該シリンジへの吸引と当該シリンジから前記ケースへの注入を繰り返すことにより、前記第１の薬剤を前記第２の薬剤に溶解させて混合薬剤を作成するピストン移動手段と、を備える、ことを特徴とする。
【００３１】
また、請求項３８に記載の発明は、粉体状又は固体状の第１の薬剤を液体状の第２の薬剤に溶解させて混合薬剤を作成する薬剤調合装置であって、前記第１の薬剤のケースに付された識別情報を読み取る読取手段と、前記読み取られた識別情報に基づいて、前記作成される混合薬剤の識別情報をシリンジに添付可能な記録媒体に記録する記録手段と、前記第２の薬剤をシリンジに充填する液体充填手段と、ケースに封入された前記第１の薬剤の当該ケース内に、前記第２の薬剤が充填されたシリンジの針を挿入させる挿入手段と、当該シリンジのシリンダ部を固定した状態で、そのピストン部を前記シリンダ部に対し相対的に移動させて、前記充填された第２の薬剤を前記第１の薬剤のケース内に注入するピストン移動手段と、前記第２の薬剤が注入された前記ケースの内容物を撹拌することにより、前記第１の薬剤を前記第２の薬剤に溶解させて混合薬剤を作成する撹拌手段と、を備える、
ことを特徴とする。
【発明の効果】
【００３２】
本発明に係る薬剤投与システムは、混合薬剤を作成するために調剤手段により調合される薬剤のケースに付された識別情報を第１の読取手段が読み取ると、記録手段が、その読み取られた識別情報に基づいて、混合薬剤の識別情報をシリンジに添付可能な記録媒体に記録する。また、シリンジに充填された混合薬剤を患者に投与するときに、第２の読取手段が、そのシリンジに添付されている記録媒体に記録された混合薬剤の識別情報を読み取ると、制御手段が、その記録媒体から読み取られた識別情報に関連付けられた薬剤情報を記憶手段から読み出し、その読み出された薬剤情報に基づいて報知手段に報知を行わせるように動作するので、患者に投与される混合薬剤が適当でないことを医師や看護士に知らせることができ、医療現場にて調剤される薬剤の投与ミスを防止することが可能となる。
【００３３】
また、本発明に係る薬剤投与システムによれば、混合薬剤を作成するために調剤手段により調合される薬剤のケースに付された識別情報を読取手段が読み取るとともに、調剤情報入力手段により所定の調剤情報が入力されると、制御手段が、その所定の調剤情報を識別情報に関連付けて記憶手段に記憶させるように動作するので、医療現場にて調剤される薬剤を使用する場合における調剤時の記録ミスを防止することができる。
【００３４】
また、本発明に係る薬剤投与システムよれば、シリンジに充填された薬剤を患者に投与するときに、そのシリンジに添付されている記録媒体に記録されたこの薬剤の識別情報を読取手段が読み取るとともに、投与情報入力手段により所定の投与情報が入力されると、制御手段が、その所定の投与情報を識別情報に関連付けて記憶手段に記憶させるように動作するので、医療現場にて調剤される薬剤を使用する場合における投薬時の記録ミスを防止することができる。
【００３５】
本発明に係る薬剤調合装置は、粉体状又は固体状の第１の薬剤を液体状の第２の薬剤に溶解させて混合薬剤を作成する装置である。混合薬剤を作成するために調剤手段により調合される薬剤のケースに付された識別情報を読取手段が読み取ると、記録手段が、その読み取られた識別情報に基づいて、混合薬剤の識別情報をシリンジに添付可能な記録媒体に記録する。また、液体充填手段が第２の薬剤をシリンジに充填し、挿入手段が第１の薬剤のケース内にシリンジの針を挿入させる。更に、ピストン移動手段が、シリンジ内の第２の薬剤をケース内に注入するとともに、ピストン部をシリンダ部に対して相対的に反復移動させることにより、第１の薬剤を第２の薬剤に溶解させるように動作する。それにより、ユーザは、識別情報が記録された記録媒体をシリンジに貼付するなどして、そのシリンジに充填された混合薬剤を識別可能できるので、医療現場にて調剤される薬剤の投与ミスを防止することが可能となる。
【００３６】
また、本発明に係る薬剤調合装置は、粉体状又は固体状の第１の薬剤を液体状の第２の薬剤に溶解させて混合薬剤を作成する装置である。混合薬剤を作成するために調剤手段により調合される薬剤のケースに付された識別情報を読取手段が読み取ると、記録手段が、その読み取られた識別情報に基づいて、混合薬剤の識別情報をシリンジに添付可能な記録媒体に記録する。また、液体充填手段が第２の薬剤をシリンジに充填し、挿入手段が第１の薬剤のケース内にシリンジの針を挿入させる。更に、ピストン移動手段が、シリンジ内の第２の薬剤をケース内に注入するとともに、撹拌手段が、このケースの内容物を撹拌することにより第１の薬剤を第２の薬剤に溶解させるように動作する。それにより、ユーザは、識別情報が記録された記録媒体をシリンジに貼付するなどして、そのシリンジに充填された混合薬剤を識別可能できるので、医療現場にて調剤される薬剤の投与ミスを防止することが可能となる。
【発明を実施するための最良の形態】
【００３７】
本発明に係る薬剤投与システム及び薬剤調合装置の好適な実施の形態の一例について、図面を参照しながら詳細に説明する。
【００３８】
［薬剤投与システムの構成］
まず、薬剤投与システムの全体構成及び運用の形態について、図１及び図２を参照しつつ説明する。図１は、本実施形態に係る薬剤投与システムの全体構成の一例を表している。図２は、この薬剤投与システムの運用形態の一例を表している。
【００３９】
図１に示す薬剤投与システム１は、制御ユニット２、調剤ユニット３、インジェクタユニット４及びディスポーザユニット５を含んで構成されている。制御ユニット２は、ＬＡＮ（Ｌｏｃａｌ  Ａｒｅａ  Ｎｅｔｗｏｒｋ）４０００等のネットワークを介して、医用情報データベース１０００及び医事会計コンピュータ２０００にそれぞれ接続されている。
【００４０】
制御ユニット２は、この薬剤投与システム１の各種制御を行うとともに、各種データの記録、各種の演算処理などを行う装置である。調剤ユニット３は、薬剤を調合するための装置である。なお、「調合」とは、複数の薬剤を混合することを表し、たとえば、粉末状の薬剤同士を混合する場合や、粉末状や固体状の薬剤を液体状の薬剤に溶解させる場合や、更には液体状の薬剤同士を混合する場合などを含むものとする。また、この調剤ユニット３は、調合された薬剤のシリンジへの充填も行う。インジェクタユニット４は、シリンジに充填された薬剤を患者に注入するための装置である。ディスポーザユニット５は、使用済みのシリンジや薬瓶を保管する装置である。これらの各ユニット２〜５の詳細構成については後述する。
【００４１】
［医療情報データベースについて］
医療情報データベース１０００は、各種の医療情報を格納するデータベースであり、大容量の記憶装置（たとえばハードディスクドライブ等）を含んで構成される。この医療情報データベース１０００には、特に、カルテ情報１００１と薬剤情報１００２が格納されている。
【００４２】
カルテ情報１００１には、各患者ごとに作成された電子カルテ情報が含まれている。各患者の電子カルテ情報は、当該患者の患者ＩＤ（患者識別情報）に関連付けられて格納されており、患者ＩＤに基づいて所望の患者の電子カルテ情報を検索できるようになっている。電子カルテ情報には、その患者の氏名や年齢等の患者情報とともに、過去の診断結果や医用画像、過去に処方された薬剤の履歴（投薬履歴情報）などが記録されている。
【００４３】
また、電子カルテ情報には、当該患者についての禁忌情報（患者禁忌情報）が記録されている。患者禁忌情報とは、当該患者に対して投与すべきでない薬剤や、投与量を通常よりも少なく（多く）するべき薬剤など、当該患者に対する投与において注意を要する薬剤の情報が記録されている。なお、投薬履歴情報や患者禁忌情報に記録される薬剤は、たとえば、その薬剤の識別情報（薬剤ＩＤ）によって特定されている。
【００４４】
薬剤情報１００２には、薬剤に関する各種の情報が各薬剤ごとに記録されている。各薬剤の薬剤情報は、当該薬剤の薬剤ＩＤに関連付けられて格納されており、薬剤ＩＤに基づいて所望の薬剤の薬剤情報を検索できるようになっている。
【００４５】
この薬剤情報１００２には、保管可能期間情報、分量許容範囲情報、濃度許容範囲情報、薬剤用途情報、薬剤禁忌情報、注入速度許容範囲情報、注入量許容範囲情報などの情報が記録されている。
【００４６】
保管可能期間情報は、調剤された薬剤（混合薬剤）の保管可能期間、すなわち調剤から投与までの制限期間を示す情報である。分量許容範囲情報は、その薬剤のケースに格納されている当該薬剤の適正分量の許容範囲を示す情報である。濃度許容範囲情報は、その薬剤を液体状の薬剤（生理食塩水等）に溶解して使用するときの適正な薬剤濃度の許容範囲を示す情報である。薬剤用途情報は、その薬剤が特定の用途、たとえば混注に用いられる場合に、その用途を示す情報を含んでいる。薬剤禁忌情報は、併用すべきでない複数の薬剤を関連付ける情報や、投与間隔に制限のある薬剤の情報など、投与において注意を要する薬剤の情報を含んでいる（たとえば、アドレナリンβ受容体遮断薬が投与された患者に対しては、当該薬剤を通常の１／１０以上の量を投与してはならないなど）。注入速度許容範囲情報は、その薬剤を患者に注入（投与）するときの適正な注入速度の許容範囲を示す情報である。注入量許容範囲情報は、その薬剤を患者に注入するときの適正な注入量の許容範囲を示す情報である。なお、薬剤情報１００２は、薬剤をシリンジに充填するときの充填量を示す充填量情報や、薬剤の調合方法（溶解方法）や、薬瓶の内容物の確認方法などの情報を更に含んでいてもよい。
【００４７】
前述の薬剤ＩＤとしては、たとえば、薬剤メーカ等によって各薬剤に付された識別情報をそのまま使用してもよいし、当該医療機関（病院、研究所等）にて各薬剤に付した識別情報（たとえば在庫管理用の識別情報）を使用してもよい。また、薬剤の名称（薬剤名）などのその他の情報を識別情報として使用することも可能である。いずれにしても、患者に投与される個々の薬品を識別可能にする情報でありさえすれば、薬剤ＩＤの態様は不問である。
【００４８】
また、本実施形態においては、前述した各種の医療情報を一つのデータベースに格納して管理しているが、複数のデータベースに医療情報を分散して管理するように構成することも可能である。
【００４９】
［医事会計コンピュータについて］
医事会計コンピュータ２０００は、医療費の計算を含む各種会計処理を行うコンピュータである。この医事会計コンピュータ２０００は、各医療行為ごとの保険点数等のリスト情報をあらかじめ記憶している。
【００５０】
たとえば、医事会計コンピュータ２０００は、各薬剤の単位当たりの保険点数（単価）を記憶しており、患者に投与された薬剤の薬剤ＩＤ、投与された単位数（及び患者ＩＤ）を受けて、この薬剤の使用への対価（保険点数及び／又は費用額）を算出し、当該患者の会計情報として記録する。
【００５１】
医事会計コンピュータ２０００は、医事会計データベース３０００にアクセスすることができる。この医事会計データベース３０００には、各患者ごとの会計情報（医療費）などの各種医事会計情報が保管されている。各患者の会計情報は、患者ＩＤによって検索できるように保管されている。
【００５２】
［システム運用形態］
このような薬剤投与システム１は、図２に示すように、手術室内において運用することができる。手術室内には、通常のように、手術台４０００、手術用顕微鏡５０００、呼吸麻酔器６０００、患者モニタ７０００、作業台８０００、器械台９０００などが、それぞれ適宜の位置に設置されている。
【００５３】
制御ユニット２は、たとえば患者モニタ７０００の横位置に配設され、麻酔医などによって操作される。制御ユニット２は、手術室の端に設置されたモニタ２Ａの表示制御を行う。調剤ユニット３は、たとえば作業台８０００上に載置されており、手術をサポートする看護士や医師などによって操作される。インジェクタユニット４は、たとえば手術台４０００の脇に配設され、麻酔医などによって操作される。ディスポーザユニット５は、たとえばインジェクタユニット４の近くに配設される。
【００５４】
制御ユニット２、調剤ユニット３、インジェクタユニット４及びディスポーザユニット５は、専用線６によって相互に接続されている。
【００５５】
［制御ユニット］
次に、制御ユニット２について説明する。図３は、制御ユニット２の機能的構成の一例を表している。この制御ユニット２は、たとえばコンピュータを含んで構成されるものであり、制御部２０、情報記憶部２１、報知部２２、計時部２３、操作部２４、患者情報入力部２５及び通信部２６を備えている。
【００５６】
〔制御部〕
制御部２０は、制御ユニット２の各部を制御するＣＰＵ等のマイクロプロセッサを含んで構成される。制御部２０は、特に、所定の条件に対応して報知部２２を制御して報知を行わせるように動作する。また、制御部２０は、所定の情報を情報記憶部２１に記憶させる処理を行う。制御部２０の詳細な動作については、適宜に後述する。
【００５７】
制御部２０は、保管期間算出部２０１と判断部２０２を備えている。保管期間算出部２０１は、薬剤が調合されてから投与されるまでの期間（時間）、換言すれば、当該薬剤が保管されていた期間を算出する。この保管期間算出部２０１は、本発明の「算出手段」の一例に相当するものである。
【００５８】
一方、判断部２０２は、次のような判断処理を実行する：（１）保管期間算出部２０１による算出結果を受けて、患者に投与される薬剤が、まだ保管可能期間内であるか判断する（本発明の「判断手段」として動作する）；（２）薬剤を調合するときに指定された薬剤濃度が適正であるか判断する；（３）調合された薬剤の計測濃度が適正であるか判断する；（４）薬剤を調合するときに、当該薬剤が禁忌の薬剤に該当するか判断する；（５）調剤において液体状の薬剤（生理食塩水等）を使用する場合に、その液体状の薬剤の残量が適正であるか判断する；（６）調合される薬剤のケースの中に、その薬剤が適正量格納されているか判断する；（７）薬剤を投与するときに指定される薬剤の注入速度が適正であるか判断する；（８）薬剤を投与するときに指定される薬剤の注入量が適正であるか判断する；（９）投与される薬剤が禁忌の薬剤に該当するか判断する。これらの判断処理（１）〜（９）の詳細については後述する。
【００５９】
なお、以上の判断処理（１）〜（９）のうち、特に（２）、（３）、（４）、（５）、（６）については、調剤ユニット３の制御部３０（後述）が行うように構成することができる。また、特に判断処理（１）、（４）、（５）、（７）、（８）、（９）については、インジェクタユニット４の制御部４０（後述）が行うように構成することができる。そのような構成を適用する場合、制御部２０は、情報記憶部２１に記憶された情報のうち当該判断に必要な情報を、調剤ユニット３やインジェクタユニット４に送信する。また、制御部３０、４０は、判断結果に応じた報知の制御処理についても行うことができる（つまり、制御部３０、４０は、本発明の「制御手段」として動作する。）。
【００６０】
〔情報記憶部〕
情報記憶部２１は、制御ユニット２が動作する際に用いられる各種の情報を記憶するもので、本発明の「記憶手段」の一例に相当するものである。この情報記憶部２１は、たとえばハードディスクドライブ等の記憶装置を含んで構成される。情報記憶部２１に記憶される情報の主なものとして、薬剤情報２１ａと患者情報２１ｂがある。これら薬剤情報２１ａと患者情報２１ｂは、本発明の「薬剤情報」の一例である。
【００６１】
薬剤情報２１ａは、各薬剤ごとに設けられる情報であり、前述の薬剤ＩＤによって識別可能に記憶されている。各薬剤の薬剤情報２１ａには、保管可能期間情報２１０、分量許容範囲情報２１１、濃度許容範囲情報２１２、薬剤用途情報２１３、薬剤禁忌情報２１４、注入速度許容範囲情報２１５及び注入量許容範囲情報２１６などが含まれている。これらの情報２１０〜２１６は、医療情報データベース１０００に格納された薬剤情報１００２から、薬剤ＩＤを用いて選択的に取得される。
【００６２】
患者情報２１ｂは、薬剤が投与される患者に関する患者情報であり、前述の患者ＩＤによって識別可能に記憶されている。この患者情報２１ｂには、投薬履歴情報２１７と患者禁忌情報２１８が含まれている。これらの情報２１７、２１８は、医療情報データベース１０００に格納されたカルテ情報１００１から、患者ＩＤを用いて選択的に取得される。
【００６３】
この情報記憶部２１には、更に、各薬剤の充填量情報２１９が記憶される。この充填量情報２１９は、薬剤をシリンジに充填するときの充填量を示す情報である。この充填量は、各薬剤ごとにあらかじめ設定されたものであってもよいし、また、ユーザが手動で設定したものであってもよい。前者を採用する場合、この充填量情報２１９は、医療情報データベース１０００の薬剤情報１００２にあらかじめ含まれているものを用いることができる。一方、後者を採用する場合には、ユーザは、操作部２４等を操作することにより所望の充填量を設定することができる。
【００６４】
また、情報記憶部２１には、調剤に使用される液体薬剤の残量の閾値など、その他の情報も適宜記憶される。なお、この残量の閾値は、あらかじめ設定された値であってもよいし、ユーザが適宜に設定した値であってもよい。
【００６５】
〔報知部〕
報知部２２は、本発明の「報知手段」の一例に相当し、制御部２０に制御されて所定の報知情報を出力するように動作する。この報知部２２は、モニタ２２１と音声出力部２２２を具備している。なお、本発明の報知手段は、モニタ２２１及び音声出力部２２２の一方のみにより構成されていてもよい。
【００６６】
モニタ２２１は、制御部２０による制御に基づいて所定の報知情報を表示する。このモニタ２２１は、図２に示したモニタ２Ａであってもよいし、それとは別個のモニタ装置であってもよい。音声出力部２２２は、スピーカやアンプ等を含んで構成されており、制御部２０による制御に基づいて所定の報知情報を音声出力する。表示又は音声出力される報知情報の具体的内容については後述する。
【００６７】
〔計時部〕
計時部２３は、時刻を計時する本発明の「計時手段」の一例に相当する。この計時部２３は、たとえば、計時機能を具備するマイクロプロセッサによって構成される。なお、本発明において「時刻」とは、時、分、秒のみであってもよいし、年、月、日等を含むものであってもよいものとする。
【００６８】
〔操作部〕
操作部２４は、本発明の「操作手段」の一例に相当する。この操作部２４は、マウス、キーボード、トラックボール、ジョイスティック、タッチパネル、タブレット、操作パネルなどの任意の操作デバイス（入力デバイス）により構成される。
【００６９】
ユーザは、操作部２４を操作することにより、調剤時における薬剤濃度の指定や、患者に対する薬剤の注入速度や注入量の指定などを行うことができる。なお、薬剤濃度の指定については、調剤ユニット３の操作部３ｄ（図４、図５参照）などによって行うこともできる。また、薬剤の注入速度や注入量の指定については、インジェクタユニット４の注入条件設定部４２（図１１、図１２参照）などによって行うこともできる。
【００７０】
〔患者情報入力部〕
患者情報入力部２５は、本発明の「入力手段」の一例に相当し、薬剤が投与される患者の患者ＩＤの入力を行う。この患者情報入力部２５は、たとえば、操作部２４と同様にキーボードやマウス等の入力デバイスであってもよいし、当該医療機関で使用される患者カードに記憶された患者ＩＤを読み取るスキャナ等の読取装置であってもよい。また、外部の装置から患者ＩＤの入力を行う場合には、後述の通信部２６を患者情報入力部２５として作用させることも可能である。入力された患者ＩＤは、たとえば情報記憶部２１に記憶される。
【００７１】
上記入力デバイスからなる患者情報入力部２５を適用する場合、ユーザは、この入力デバイスを用いて患者ＩＤを手入力するか、又は、患者のリストをモニタ２２１等に表示させて所望の患者を選択することにより患者ＩＤの入力を行う。また、上記読取装置からなる患者情報入力部２５を適用する場合には、ユーザは、患者カードを読取装置に近づけたり接触させたりすることによって患者ＩＤを読み取らせる。
【００７２】
〔通信部〕
通信部２６は、本発明の「通信手段」の一例に相当し、医事会計コンピュータ２０００とＬＡＮ４０００を介してデータ通信を行う。また、通信部２６は、制御ユニット２が医療情報データベース１０００にアクセスするときのデータ通信を行う。更に、通信部２６は、調剤ユニット３、インジェクタユニット４及びディスポーザユニット５のそれぞれと専用線６を介してデータ通信を行う。
【００７３】
この通信部２６は、ＬＡＮカード等のネットワークアダプタを含んで構成される。また、モデム等の通信機器を搭載してインターネット等の電気通信回線に接続可能に構成することもできる。
【００７４】
［調剤ユニット］
次に、本発明の「薬剤調合装置」の一例である調剤ユニット３について、図４〜図１０を参照しつつ説明する。図４は、調剤ユニット３の機能的構成の一例を表すブロック図である。図５は、調剤ユニット３の外観構成の一例を表す正面図である。図６は、調剤ユニット３による調剤作業に供される薬剤が格納された薬瓶（ケース）の外観構成の一例を表す。図７は、調剤ユニット３による液体薬剤（生理食塩水等）のシリンジへの充填動作の一例を説明するための説明図である。図８は、調剤ユニット３による薬剤の調合動作の一例を説明するための説明図である。図９は、調剤ユニット３により作成されるラベル（記録媒体）の形態の一例を表す図である。図１０は、このラベルのシリンジへの貼付形態の一例を表す図である。
【００７５】
〔調剤ユニットの構成〕
まず、図４、図５を主に参照して、調剤ユニット３の構成を説明する。調剤ユニット３は、図５に示すように、筐体３ａの上部に薬瓶投入部３ｂを有し、筐体３ａの前面にシリンジ取出部、操作部３ｄ及び表示部３ｅを有している。
【００７６】
薬瓶投入部３ｂは、上方を向いた開口（図示せず）を形成している。ユーザは、図６に示すような薬瓶９００を、この開口から調剤ユニット３内部に投入する。シリンジ取出部３ｃは、調剤ユニット３によって薬剤が充填されたシリンジを調剤ユニット３から取り出すための開口を形成している。
【００７７】
操作部３ｄは、調剤ユニット３を操作するための各種の操作ボタン等を含んで構成される。ユーザは、この操作部３ｄを操作することにより、調剤ユニット３の電源オン／オフを切り換えたり、調剤動作を開始／停止させたりすることができる。また、調剤される薬剤の濃度を指定するための「操作手段」、「調剤情報入力手段」及び「投与情報入力手段」として操作部３ｄを使用することもできる。
【００７８】
表示部３ｅは、望ましくは液晶ディスプレイ等の薄型の表示装置により構成され、調剤に供される薬剤の薬剤ＩＤ、調合された薬剤の薬剤ＩＤ、操作部３ｄにて指定された薬剤濃度、調剤をおこなった時刻などの各種情報を表示する。
【００７９】
また、所定の報知情報を表示する本発明の「報知手段」として表示部３ｅを用いることも可能である。なお、所定の報知情報を音声出力する制御ユニット２と同様の音声出力部を、調剤ユニット３に設けてもよい。
【００８０】
ここで、操作部３ｄと表示部３ｅとをそれぞれ別個に設ける代わりに、それらを一体構成させたタッチパネルやタブレット等のユーザインターフェイスを搭載させることも可能である。
【００８１】
調剤ユニット３には、生理食塩水等の液体薬剤７００が流入するようになっている。この液体薬剤７００は、たとえばプラスティック素材やビニール素材等で形成されたバッグなどからなる薬剤格納部材３ｆに格納されており、チューブ３ｇを通じて調剤ユニット３に流入する。薬剤格納部材３ｆは、たとえば、図示しないスタンドに懸吊されている。このスタンドには、薬剤格納部材３ｆ及びそれに格納された液体薬剤７００の重量を計測する計量装置が設けられている。
【００８２】
続いて、この調剤ユニット３の機能的構成を図４を参照しつつ説明する。調剤ユニット３には、制御部３０、情報記憶部３０Ａ、調剤部３１、ラベル処理部３２、シリンジ装填部３３、薬剤濃度計側部３４、キャップ着脱機構３５、薬瓶格納量計測部３６、識別情報読取部３７、液体薬剤残量検出部３８、通信部３９が設けられている。
【００８３】
〔制御部〕
制御部３０は、調剤部３１、ラベル処理部３２、キャップ着脱機構３５、表示部３ｅなど、調剤ユニット３の各部の制御を行う。この制御部３０は、ＣＰＵ等のマイクロプロセッサを含んで構成される。また、制御部３０は、前述の判断処理（２）、（３）、（４）、（５）、（６）と、その判断結果に応じた報知処理の制御を行うことができる（制御手段）。また、制御部３０は、本発明の「充填制御手段」の一例に相当するものである。
【００８４】
〔情報記憶部〕
情報記憶部３０Ａは、調剤ユニット３に入力された情報や、制御部３０の処理に供される情報などを記憶する。この情報記憶部３０Ａは、たとえば、ハードディスクドライブ、ＲＡＭ、ＲＯＭ等の記憶装置により構成される。
【００８５】
〔調剤部〕
調剤部３１は、薬剤の調合を行う本発明の「調剤手段」の一例に相当するものであり、調剤部３１によって作成される薬剤を混合薬剤と呼ぶことがある。本実施形態に係る調剤手段は、図６の薬瓶９００内に封入された粉末状又は固体状の薬剤（第１の薬剤）を、液体薬剤７００（第２の薬剤）で溶解することにより混合薬剤の作成を行う。
【００８６】
調剤部３１には、液体薬剤供給部３１１、薬瓶保持部３１２、シリンジ搬送機構３１３及びピストン移動機構３１４が設けられている。
【００８７】
薬剤供給部３１１は、図７に示すように、調剤ユニット３の筐体３ａ内部のゴム保持部材３ｊ（壁状の仕切り板部材等からなる）に保持されたゴム部材３ｈと、このゴム部材３ｈの一面に固着された薬剤貯溜部材３ｋとを含んで構成される。
【００８８】
薬剤貯溜部材３ｋは、中空の筒状の部材によって構成されている。この薬剤貯溜部材３ｋのゴム部材３ｈ側の面は開口されており、ゴム部材３ｈは、この開口に密着されている。また、薬剤貯溜部材３ｋのゴム部材３ｈに対峙する側の面には開口（図示せず）が形成されており、この開口部分には、チューブ３ｇの一端が密着されている。このチューブ３ｇの他端は、図５に示したように、薬剤格納部材３ｆの下端部に接続されている。それにより、薬剤格納部材３ｆ内の液体薬剤７００が、チューブ３ｇを通じて薬剤貯溜部材３ｋの中空部に供給されるようになっている。
【００８９】
薬瓶保持部３１２は、図５の薬瓶投入部３ｂから投入された薬瓶９００を保持するように作用する。この薬瓶保持部３１２は、たとえば、薬瓶９００が載置される載置台と、ゴム素材からなる複数（たとえば３つ）の車輪とを含んで構成される。これら複数の車輪は、各々の回転軸が薬瓶９００の高さ方向と平行になるように配設されている。これら複数の車輪の回転軸は、等角度間隔で配置されていることが望ましい（車輪が３つの場合、３つの回転軸は１２０度間隔で配設される。）。
【００９０】
薬瓶保持部３１２は、各車輪を薬瓶９００の外周面に向かって移動させるとともに、当該外周面から離間する方向に移動させる車輪移動機構（アクチュエータ等を含む：図示せず）を有する。
【００９１】
ユーザが薬瓶９００を投入すると、その薬瓶９００が、キャップ９０１を上方に位置させた状態で載置台上に載置される。なお、ユーザが載置台上に薬瓶９００を載置するようにしてもよい。薬瓶９００が載置されると、車輪移動機構により各車輪が薬瓶９００に向けて移動され、各車輪の外周面が薬瓶９００の外周面に押圧される。この押圧力により薬瓶９００が保持される。
【００９２】
薬瓶保持部３１２は、更に、各車輪を回転させる車輪回転駆動機構（モータ等を含む：図示せず）を備えている。この車輪回転駆動機構の作用については後述する。
【００９３】
シリンジ搬送機構３１３は、調剤ユニット３の筐体３ａ内の所定位置にシリンジを搬送したり、シリンジの向きを変更したりするもので、たとえばシリンジを保持するシリンジ保持部やアクチュエータなどを含んで構成される。なお、シリンジの保持態様としては、シリンジを把持したり、吸着したりするなど、各種の構成を適用することができる。このシリンジ搬送機構３１３は、本発明の「挿入手段」の一例に相当する。
【００９４】
シリンジ搬送機構３１３は、シリンジ装填部３３に装填されたシリンジを把持して液体薬剤供給部３１１に搬送し、続いて薬瓶保持部３１２に搬送し、引き続き薬剤濃度計側部３４に搬送し、更にラベル処理部３２に搬送するように動作する。それぞれの搬送タイミングは、制御部３０により制御される。
【００９５】
ピストン移動機構３１４は、本発明の「ピストン移動手段」の一例に相当するものであり、図７に示すシリンジ８００のピストン部８０２をシリンダ部８０１に対して相対的に移動させる。すなわち、シリンジ８００のピストン部８０２を、円筒状のシリンダ部８０１の軸方向に移動させるように作用する。
【００９６】
このピストン移動機構３１４は、たとえば、シリンダ部８０１を保持して位置を固定するシリンダ固定機構と、ピストン部８０２のピストン後端部８０２ａを保持するピストン保持機構と、このピストン保持機構をシリンダ部８０１の軸方向に移動させる駆動機構とを含んで構成される。なお、シリンダ固定機構やピストン後端部８０２ａの保持態様としては、保持対象物を把持したり吸着したりするなどの構成を適用できる。また、シリンダ固定機構は、シリンジ搬送機構３１３のシリンジ保持部と共通であってもよい。
【００９７】
ピストン移動機構３１４は、まず、シリンダ固定機構によってシリンダ部８０１を固定するとともに、ピストン保持機構によってピストン後端部８０２ａを保持する。そして、ピストン後端部８０２ａを保持したピストン保持機構を駆動機構によって移動させることにより、ピストン部８０２をシリンダ部８０１に対して相対的に移動させる。
【００９８】
なお、ピストン移動機構３１４は、液体薬剤供給部３１１及び薬瓶保持部３１２においてそれぞれ動作するが、これら２つの位置のそれぞれにピストン移動機構３１４を設けてもよいし、シリンジ搬送機構３１３などによってその位置や向きをシリンジとともに変更するようにしてもよい。
【００９９】
このピストン移動機構３１４と液体薬剤供給部３１１は、本発明の「液体充填手段」の一例に相当する。
【０１００】
〔調剤部の動作について〕
このような調剤部３１の動作を図７、図８を参照して説明する。まず、図７に基づいて、液体薬剤７００のシリンジ８００への充填動作を説明し、それから、図８に基づいて、薬剤の調合動作を説明する。なお、以下に説明する動作のタイミングは、制御部３１によって制御される。
【０１０１】
（液体薬剤充填動作）
まず、図７（Ａ）に示すように、シリンジ８００が液体薬剤供給部３１１まで搬送される。このとき、シリンジ８００のピストン部８０２は、シリンダ部８０１の最深部（針８０３側）まで圧入された状態となっている。また、シリンジ８００は、針８０３がゴム部材３ｈ（液体薬剤貯溜部材３ｋ）の正面に位置するように配置される。
【０１０２】
シリンジ搬送機構３１３は、その状態のままシリンジ８００をゴム部材３ｈの方向に移動してゴム部材３ｈに針８０３を刺して薬瓶８００内部に挿入させ、更に、針８０３の先端（孔が空いている）が薬剤貯溜部材３ｋの中空部に配置されるまでシリンジ８００を移動する（図７（Ｂ）参照）。
【０１０３】
次に、ピストン移動機構３１４が、シリンダ部８０１を保持するとともに、ピストン後端部８０２ａを保持した状態で、ピストン部８０２を針８０３とは反対の方向に移動させる。すなわち、シリンダ部８０１の最深部にあったピストン部８０２を、シリンダ部８０１の開口の方向に移動させる。それに伴い、薬剤貯溜部材３ｋ内の液体薬剤７００が、針８０３の先端からシリンダ部８０１内に吸引される。このとき、薬剤貯溜部材３ｋには、液体薬剤７００がチューブ３ｇを介して補充される。ピストン移動機構３１４は、ピストン部８０２を所定距離だけ移動させて動作を停止する（図７（Ｃ）参照）。それにより、シリンジ８００に液体薬剤７００が充填される。
【０１０４】
最後に、シリンジ搬送機構３１３が、シリンジ８００を液体薬剤供給部３１１とは反対の方向に移動させる（図７（Ｄ）参照）。なお、針８０３がゴム部材３ｈから抜け出ても、針８０３により形成された貫通孔は、ゴム部材８３ｈの弾性により閉塞されるので、薬剤貯溜部材３ｋ内の液体薬剤７００が漏れ出ることはない。
【０１０５】
（薬剤調合動作）
調剤部３１による薬剤の調合は、上記の液体薬剤充填動作によってシリンジ８００に充填された液体薬剤７００を用いて行う。
【０１０６】
まず、シリンジ８００が薬剤保持部３１２まで搬送される。図８（Ａ）は、薬剤保持部３１２により保持された状態の薬瓶９００と、搬送されたシリンジ８００との位置関係を表している。シリンジ８００は、針８０３がゴム部材９０２の上方に位置するように配置される。
【０１０７】
シリンジ搬送機構３１３は、その状態のままシリンジ８００をゴム部材９０２の方向に移動してゴム部材９０２に針８０３を刺し入れ、更に、針８０３の先端が薬瓶９００内の中空部に配置されるまでシリンジ８００を移動する（図８（Ｂ）参照）。このとき、薬瓶９００内の底部付近に針８０３の先端を位置させることが望ましい。
【０１０８】
次に、ピストン移動機構３１４が、シリンダ部８０１を保持するとともに、ピストン後端部８０２ａを保持した状態で、ピストン部８０２を針８０３の方向（下方）に移動させる。それにより、シリンダ部８０１内の液体薬剤７００が薬瓶９００内に注入される（図８（Ｃ）参照）。
【０１０９】
続いて、ピストン移動機構３１４は、ピストン部８０２を上方に移動させる。それにより、薬瓶９００に格納されていた薬剤と液体薬剤７００との混合物７００′がシリンダ部８０１内に吸引される（図８（Ｄ）参照）。
【０１１０】
ピストン移動機構３１４は、ピストン部８０２を所定回数だけ上下に反復移動させて、薬瓶９００内の内容物のシリンダ部８０１への吸引と、シリンダ部８０１から薬瓶９００への注入を繰り返す（図８（Ｃ）、（Ｄ）、（Ｅ）参照）。この過程において、薬瓶９００に格納されていた粉末又は固体状の薬剤が液体薬剤７００に溶解され、混合薬剤７１０が作成される。
【０１１１】
ピストン部８０２の上下移動を所定回数行ったら、ピストン移動機構３１４は、ピストン部８０２を最下位置から上方に移動させて、作成された混合薬剤７１０を薬瓶９００内から所定量だけ吸引する（図８（Ｆ）参照）。
【０１１２】
混合薬剤７１０が吸引されたら、シリンジ搬送機構３１３は、シリンジ８００を上方に移動させるとともに、その向きを上下反転させて針８０３を上方に向けさせる（図８（Ｇ）参照）。このとき、シリンジ８００とともにピストン移動機構３１４も移動される。その状態で、ピストン移動機構３１４は、ピストン部８０２を上方に移動させ、シリンダ部８０１内に存在する空気を針８０３の先端から排出させる。最後に、後述のキャップ着脱機構３５によってシリンジ８００にキャップ８０４が装着される。以上で、薬剤調合動作は終了となる。
【０１１３】
なお、上記の例においては、シリンジ８００の向きを上下反転させるときに、ピストン移動機構３１４の位置を変更しているが、図８（Ｇ）に示すシリンジ８００の下方の位置に別のピストン移動機構３１４を設けておいてもよい。
【０１１４】
〔ラベル処理部〕
ラベル処理部３２は、薬剤ＩＤ等の情報を所定の記録媒体（ラベル）に記録する識別情報記録部３２１と、薬剤ＩＤが記録された記録媒体をシリンジに貼付するラベル貼付部３２２とを有している。
【０１１５】
識別情報記録部３２１は、ラベルの一方の面（表面）に薬剤ＩＤなどを記録（印刷）する。本実施形態においては、図９（Ａ）に示すように、薬剤ＩＤ、薬剤名、薬剤濃度、調剤時間等の情報が記録されたバーコードをラベルに印刷するとともに、これらの情報をユーザ認識可能な形態（つまり文字）でラベルに印刷するようになっている。
【０１１６】
ラベルの他方の面（接着面）には接着材が塗布されている。この接着面は、剥離可能な被覆部材（紙など）で被覆されている。なお、接着面の端部（非塗布部）には、接着剤が塗布されていないことが望ましい。また、ラベルは、切り離し可能に連接された複数のラベルを適宜切り離して使用される。
【０１１７】
ラベル貼付部３２２は、識別情報記録部３２１により薬剤ＩＤ等が印刷されたラベルをシリンジに貼り付けるよう動作する（図１０（Ａ）参照）。このラベル貼付部３２２は、たとえば、ラベルの非塗布部を覆う被覆部材の端部を保持して被覆部材をラベルから剥離する剥離機構と、被覆部材が剥離されたラベルの接着面をシリンジ８００のシリンダ部８０１の所定位置に配置して押圧する貼付機構とを含んで構成されている。なお、被覆部材が剥離されたラベルの接着面にシリンジ８００のシリンダ部８０１を押圧することにより、ラベルを貼り付けるように構成してもよい。
【０１１８】
なお、薬剤ＩＤ等が記録される記録媒体は、上記のようなラベル部材に限定されるものではなく、たとえばＩＣタグなどの各種記録媒体を用いることができる。他の記録媒体を用いる場合、使用される記録媒体に応じた記録方式の識別情報記録部３２１が設けられる。
【０１１９】
〔シリンジ装填部〕
シリンジ装填部３３には、調剤ユニット３により薬剤が充填される（空の）シリンジが装填される。シリンジ装填部３３は、シリンジを一本ずつ装填するものであってもよいし、複数のシリンジを１本ずつ取り出し可能な状態に装填するものであってもよい。なお、シリンジ装填部３３に装填されるシリンジには、衛生面を考慮してキャップ（図８（Ｈ）参照）が装着されている。
【０１２０】
〔薬剤濃度計側部〕
薬剤濃度計側部３４は、本発明の「濃度計測手段」、「調剤情報入力手段」及び「投与情報入力手段」の一例に相当し、シリンジに充填された混合薬剤に含有される特定の薬剤の濃度を計測する。その計測方式は、薬剤の電気伝導率を利用するものや分光特性を利用するものなど、任意の方式を適用することが可能である。また、複数の計測方式を実施可能に構成し、薬剤の種類に応じて適当な計測方式を選択的に使用するようにしてもよい。具体的には、各薬剤の薬剤情報２１ａ（図３参照）に、適当な計測方式を示す情報（濃度計測方式情報）を記録し、その情報を参照して計測方式を選択するように構成するなどすればよい。
【０１２１】
〔キャップ着脱機構〕
キャップ着脱機構３５は、シリンジ８００のキャップ８０４（図８（Ｈ）参照）を着脱するように動作する。このキャップ着脱機構３５は、たとえば、シリンジ８００のシリンダ部８０１を保持するシリンダ保持機構と、キャップを保持するキャップ保持機構と、このキャップ保持機構をシリンダ部８０１の円筒軸方向に移動させる駆動機構とを含んで構成される。なお、キャップ着脱機構３５は、その一部又は全部を、シリンジ搬送機構３１３やピストン移動機構３１４と共有していてもよい。
【０１２２】
〔薬瓶格納量計測部〕
薬瓶格納量計測部３６は、本発明の「分量計測手段」の一例に相当し、薬瓶９００に格納されている薬剤の分量を計測する。この薬瓶格納量計測部３６は、たとえば、薬剤保持部３１２の上記載置台に載置された薬瓶９００（及びそれに格納された薬剤）の重量を計測する計量装置を含んで構成される。
【０１２３】
〔識別情報読取部〕
識別情報読取部３７は、本発明の「第１の読取手段」の一例に相当し、調合される薬剤の薬瓶９００に付された識別情報（バーコード９０３）を読み取る。この識別情報読取部３７は、たとえば、薬剤保持部３１２の載置台に載置された薬瓶９００の外周部に付されたバーコード９０３の読み取りを行うバーコードリーダを含んで構成される。
【０１２４】
載置台上の薬瓶９００は、複数の車輪によって保持されている。識別情報読取部３７は、その薬瓶９００のバーコード９０３の高さ位置に配設されている。バーコード９０３を読み取る場合、車輪回転駆動機構により車輪が回転駆動される。薬瓶９００は、車輪の回転にしたがって載置台上にて回転される。識別情報読取部３７は、その正面位置をバーコード９０３が通過するときにデータの読み取りを行う。
【０１２５】
なお、識別情報読取部３７は、カメラやスキャナなど、その他の読み取り方式を用いたものであってもよい。
【０１２６】
〔液体薬剤残量検出部〕
液体薬剤残量検出部３８は、本発明の「残量検出手段」の一例に相当し、薬剤格納部材３ｆに格納される液体薬剤７００の残量を検出する。この液体薬剤残量検出部３８は、たとえば、薬剤格納部材３ｆを懸吊するスタンドに設けられた前述の計量装置を含んで構成される。また、液体薬剤残量検出部３８は、逐次使用される液体薬剤７００の使用量を検出し、それらの累積値（累積使用量）を演算するように構成されていてもよい。
【０１２７】
〔通信部〕
通信部３９は、制御ユニット２と専用線６を介してデータ通信を行うネットワークアダプタを含んで構成される。
【０１２８】
［インジェクタユニット］
続いて、図１１、図１２を参照しつつインジェクタユニット４の構成を説明する。図１１は、インジェクタユニット４の機能的構成の一例を表す。図１２は、インジェクタユニット４の外観構成の一例を表す。
【０１２９】
インジェクタユニット４は、図１２に示すように、本体部４Ａと押圧機構部４Ｂとを有する。本体部４Ａと押圧機構部４Ｂは、コード４Ｃにより接続されている。押圧機構部４Ｂは、本体部４Ａからの制御信号に基づいて動作する。
【０１３０】
シリンジ８００は、本体部４Ａの上面に凹状に形成されたシリンジ配置部４ａに配置される。このシリンジ８００には、図示しない患者に注入される薬剤（混合薬剤）７１０が充填されている。シリンジ８００は、針８０３が取り外され、代わりにチューブ４ｂの一端が接続されている。このチューブ４ｂの他端には、患者に刺し入れられた針（図示せず）が接続されている。この針の先端には孔が形成されている。
【０１３１】
シリンジ配置部４ａに配置されたシリンジ８００のピストン後端部８０２ａには、押圧軸４１の一端に形成されたフリンジ４１ａが当接される。押圧軸４１の他端は、押圧機構部４Ｂ内に配置されている。押圧機構部４Ｂは、押圧軸４１をシリンジ８００方向に移動させることにより、ピストン部８０２をシリンダ部８０１内に圧入させて薬剤７１０をチューブ４ｂ内に押し出させる。押し出された薬剤７１０は、チューブ４ｂを通じて患者に投与される。
【０１３２】
本体部４Ａの上面には、注入条件設定部４２、注入開始／停止ボタン４３及びＬＥＤ４４が設けられている。注入条件設定部４２は、薬剤７１０を患者に注入するときの注入条件、すなわち注入速度や注入量をユーザが指定するためもので、本発明の「操作手段」、「投与情報入力手段」として用いられる。この注入条件設定部４２は、たとえば、注入条件設定用のボタンやダイヤル、若しくはタッチパネルやタブレット等により構成される。
【０１３３】
注入開始／停止ボタン４３は、薬剤７１０の注入開始操作と注入停止操作を行うためのものである。ＬＥＤ４４は、設定された注入条件が適当でない場合などに点灯（点滅）するよう制御される、本発明の「報知手段」の一例である。
【０１３４】
また、凹状のシリンジ配置部４ａの側壁には、識別情報読取部３７と同様の識別情報読取部４５が配設されている。シリンジ８００は、シリンジ配置部４ａ内の所定位置に配置される。また、前述のように、ラベルＬは、シリンダ部８０１の所定位置に貼付される。識別情報読取部４５は、シリンジ配置部４ａにシリンジ８００を配置したときにラベルＬが位置する場所に配設されている。
【０１３５】
次に、図１１を参照しつつインジェクタユニット４の機能的構成を説明する。インジェクタユニット４には、前述の押圧機構部４Ｂ、注入条件設定部４２、注入開始／停止ボタン４３、ＬＥＤ４４及び識別情報読取部４５とともに、制御部４０、シリンジ回転機構４６、情報記憶部４７及び通信部４８が設けられている。
【０１３６】
制御部４０は、インジェクタユニット４の各部の制御を行うＣＰＵ等のマイクロプロセッサを含んで構成される。また、制御部４０は、前述の判断処理（１）、（４）、（５）、（７）、（８）、（９）と、その判断結果に応じた報知処理の制御を行うことができる（制御手段）。
【０１３７】
情報記憶部４７は、インジェクタユニット４に入力された情報や、制御部４０の処理に供される情報などを記憶するＲＡＭやＲＯＭ等の記憶装置により構成される。通信部４８は、制御ユニット２と専用線６を介してデータ通信を行うネットワークアダプタを含んで構成される。
【０１３８】
シリンジ回転機構４６は、シリンジ配置部４ａに配置されたシリンジ８００を、シリンダ部８０１の円筒軸を中心に回転させる。このシリンジ回転機構４６は、モータ等を含んで構成される。シリンジ配置部４ａにシリンジ８００が配置されると、シリンジ回転機構４６がシリンジ８００を回転させる。前述のように、識別情報読取部４５は、ラベルＬに対応する位置に配設されている。識別情報読取部４５は、その正面位置をシリンジ８００のラベルＬが通過するときにバーコードの読み取りを行う。
【０１３９】
［ディスポーザユニット］
次に、図１３を参照しつつディスポーザユニット５について説明する。このディスポーザユニット５は、通常のゴミ箱のように中空状の保管部５０を有している。保管部５０の上部には図示しない蓋が開閉可能に取り付けられている。ユーザは、この蓋を開けて使用済みのシリンジ８００や薬瓶９００を保管部５０内に投入する。
【０１４０】
保管部５０内（若しくは蓋）には、識別情報読取部３７と同様の識別情報読取部５１が配設されており、保管部５０に投入されたシリンジ８００等に添付されたバーコードを読み取るようになっている。
【０１４１】
また、ディスポーザユニット５には、識別情報読取部５１が読み取ったバーコードの情報を、専用線６を介して制御ユニット２に送信する通信部５２が設けられている。
【０１４２】
［薬剤投与システムの使用形態］
以上のような構成を有する薬剤投与システム１の使用形態について説明する。以下、調剤ユニット３の制御部３０が、前述の判断処理（２）、（３）、（４）、（５）、（６）を実行し、インジェクタユニット４の制御部４０が、判断処理（４）、（５）、（７）、（８）、（９）を実行する場合について説明する。判断処理（１）については制御ユニット２が行うものとする。なお、前述のように、全ての判断処理（１）〜（９）を制御ユニット２が行ってもよい。
【０１４３】
図１４〜図２０に示すフローチャートは、薬剤投与システム１の使用形態の一例を表している。図１４、図１５、図１６のフローチャートは、患者に投与する（混合）薬剤を調合してシリンジに充填するときの使用形態の一例を表している。なお、調剤開始前の段階においては、制御ユニット２の情報記憶部２１には、充填量情報２１９のみ記憶されているものとする。図１７のフローチャートは、調剤及びシリンジへの充填が終了した後の使用形態の一例を表している。図１８、図１９のフローチャートは、薬剤を患者に投与するときの使用形態の一例を表している。図２０のフローチャートは、薬剤を患者に投与した後の使用形態の一例を表している。
【０１４４】
〔薬剤の調合及びシリンジへの充填：図１４〜図１６〕
まず、制御ユニット２の患者情報入力部２５から患者ＩＤの入力を行う（Ｓ１）。制御部２０は、通信部２６を制御して、入力された患者ＩＤに関連付けられた電子カルテ情報を検索するためのコマンドを医用情報データベース１０００に送信し、目的の電子カルテ情報を取得する（Ｓ２）。制御部２０は、この電子カルテ情報に含まれる投薬履歴情報２１７と患者禁忌情報２１８を患者情報２１ｂとして情報記憶部２１に記憶させる（Ｓ３）。
【０１４５】
次に、ユーザが、調剤ユニット３の薬剤投入部３ｂに薬瓶９００を投入する（Ｓ４）。投入された薬瓶９００は、薬瓶保持部３１２の載置台に載置され、複数の車輪によって保持される。薬瓶保持部３１２が薬瓶９００を回転させると、識別情報読取部３７がバーコード９０３に記録された薬剤ＩＤ（識別情報）を読み取る（Ｓ５）。調剤ユニット３の制御部３０は、通信部２６を制御し、読み取られた薬剤の識別ＩＤを制御ユニット２に送信する。
【０１４６】
制御ユニット２の制御部２０は、通信部２６を制御して、この薬剤ＩＤに関連付けられた薬剤情報を検索するためのコマンドを医用情報データベース１０００に送信し、目的の薬剤情報を取得する（Ｓ６）。制御部２０は、この薬剤情報に含まれる保管可能期間情報２１０、分量許容範囲情報２１１、濃度許容範囲情報２１２、薬剤用途情報２１３、薬剤禁忌情報２１４、注入速度許容範囲情報２１５及び注入量許容範囲情報２１６情報を、薬剤情報２１ａとして記憶部２１に記憶させる（Ｓ７）。
【０１４７】
以上で、図３に示す全ての情報が情報記憶部２１に記憶された。なお、前述した薬剤の調合方法（溶解方法）を示す情報や、薬瓶内に格納された薬剤の格納量の確認方法を示す情報などを更に記憶するようにしてもよい。
【０１４８】
制御ユニット２の制御部２０は、情報記憶部２１に記憶された情報のうち、分量許容範囲情報２１１、濃度許容範囲情報２１２、薬剤用途情報２１３、薬剤禁忌情報２１４、投薬履歴情報２１７、患者禁忌情報２１８及び充填量情報２１９を調剤ユニット３に送信する（Ｓ８）。このとき、薬剤の溶解方法を示す情報や薬剤格納量の確認方法を示す情報などを同時に送ってもよい。
【０１４９】
（禁忌な薬剤であるか確認）
調剤ユニット３は、制御ユニット２からの情報を受信し、情報記憶部３０Ａに格納する。制御部３０は、ステップＳ５で読み取られたバーコード９０３に記録された薬剤ＩＤが、患者禁忌情報２１８に含まれているか判断する（Ｓ９）。含まれている場合（Ｓ９；Ｙ）、制御部３０は、表示部３ｅに警告メッセージ（報知情報）を表示させる（Ｓ３１）。なお、調剤ユニット３から制御ユニット２に判断結果を送信し、モニタ２２１や音声出力部２２２を用いて報知情報を出力するようにしてもよい（以下同様）。ユーザは、この報知情報により異常の発生を認識し、別の薬剤に変更するなどの対処を講ずる。
【０１５０】
薬剤ＩＤが患者禁忌情報２１８に含まれていない場合（Ｓ９；Ｎ）、制御部３０は、薬剤禁忌情報２１４と投薬履歴情報２１７に基づいて、薬瓶９００内の薬剤が禁忌であるか判断する（Ｓ１０）。すなわち、ステップＳ５で読み取られた薬剤ＩＤが、薬剤禁忌情報２１４に示す当該薬剤との併用に注意を要する薬剤の薬剤ＩＤに一致するか判断する。禁忌であると判断された場合（Ｓ１０；Ｙ）、制御部３０は、表示部３ｅに警告メッセージを表示させる（Ｓ３１）。
【０１５１】
（薬剤の分量の確認）
一方、禁忌でないと判断された場合（Ｓ１０；Ｎ）、制御部３０は、薬瓶格納量計測部３６を制御して薬瓶９００の重量を計測させ、その計測値と分量許容範囲情報２１１とに基づいて、薬瓶９００に適正分量の薬剤が格納されているか否か判断する（Ｓ１１）。このとき、制御部３０は、たとえば、重量の計測値から薬瓶９００自体の重量を減算して薬剤の格納量を算出し、その算出結果が分量許容範囲情報２１１（薬剤自体の重量を示す情報）に示す許容範囲に含まれるか判断する。なお、分量許容範囲情報２１１として薬瓶９００自体の重量も含めた全重量を用いる場合、制御部３０は、重量の計測値が当該分量許容範囲情報２１１に示す許容範囲に含まれるかを判断する。
【０１５２】
薬瓶９００に適正分量の薬剤が格納されていないと判断された場合（Ｓ１１；Ｎ）、制御部３０は、表示部３ｅに警告メッセージを表示させる（Ｓ３１）。ユーザは、この警告メッセージを受けて、薬瓶９００を取り出すとともに新たな薬瓶９００を投入することになる。
【０１５３】
（指定された薬剤濃度の確認）
一方、薬瓶９００に適正分量の薬剤が格納されていると判断された場合（Ｓ１１；Ｙ）、ユーザは、操作部３ｄを操作して、この薬剤の濃度の指定を行う（Ｓ１２）。制御部３０は、指定された薬剤濃度が濃度許容範囲情報２１２に示す許容範囲に含まれるか否か判断する（Ｓ１３）。
【０１５４】
指定された薬剤濃度が許容範囲に含まれないと判断された場合（Ｓ１３；Ｎ）、制御部３０は、表示部３ｅに警告メッセージを表示させる（Ｓ３１）。
【０１５５】
指定された薬剤濃度が許容範囲に含まれると判断された場合（Ｓ１３；Ｙ）、ユーザは、液体薬剤７００（生理食塩水）が格納された薬剤格納部材３ｆを前述のスタンドにセットし、それにチューブ３ｇの一端を取り付け、他端を調剤ユニット３の筐体３ａの所定の取り付け位置に取り付ける（Ｓ１４）。
【０１５６】
（液体薬剤の残量の確認）
制御部３０は、液体薬剤残量検出部３８を制御して、薬剤格納部材３ｆに格納された液体薬剤７００の残量を検出し、検出結果を所定値と比較する（Ｓ１５）。検出された残量が所定値以下である場合（Ｓ１５；Ｎ）、表示部３ｅに警告メッセージを表示させる（Ｓ３１）。
【０１５７】
（調剤）
検出された残量が所定値を超える場合（Ｓ１５；Ｙ）、ユーザは、シリンジ装填部３３にシリンジ８００を装填する（Ｓ１６）。キャップ着脱機構３５は、このシリンジ８００のキャップ８０４を脱着する（Ｓ１７）。このシリンジ８００は、シリンジ搬送機構３１３により液体薬剤供給部３１１に搬送される。シリンジ搬送機構３１３及びピストン移動機構３１４は、図７に示した要領で、シリンジ８００に液体薬剤７００を充填する（Ｓ１８）。
【０１５８】
液体薬剤７００が充填されたシリンジ８００は、シリンジ搬送機構３１３によって薬瓶保持部３１２に搬送される。シリンジ搬送機構３１３とピストン移動機構３１４は、図８（Ａ）〜（Ｅ）に示す要領で、薬瓶９００内の薬剤を液体薬剤７００に溶解させる（Ｓ１９）。そして、ピストン移動機構３１４は、図８（Ｆ）に示す要領で、混合薬剤７１０をシリンジ８００に充填する（Ｓ２０）。このとき、シリンジ８００には、充填量情報２１９に示す分量だけ混合薬剤７１０が充填される。ここで、調剤ユニット３は、制御ユニット２に信号を送り、計時部２３が計時する時刻を取得し、調剤が行われた時刻（調剤時刻）として情報記憶部３０Ａに記憶させる（Ｓ２１）。
【０１５９】
次に、図８（Ｇ）に示すように、シリンジ搬送機構３１３が、このシリンジ８００を上下反転させるとともに、ピストン移動機構３１４が、ピストン部８０２を圧入してシリンダ部８０１内の空気を排出させる（Ｓ２２）。そして、図８（Ｈ）に示すように、キャップ着脱機構３５が、シリンジ８００にキャップ８０４を装着する（Ｓ２３）。キャップ８０４が装着されたシリンジ８００は、シリンジ搬送機構３１３により薬剤濃度計側部３４に搬送される。
【０１６０】
（シリンジに充填された薬剤の濃度の確認）
制御部３０は、薬剤濃度計側部３４を制御して、シリンジ８００に充填された混合薬剤７１０の薬剤濃度を計測させ（Ｓ２４）、その計測値が濃度許容範囲情報２１２に示す供用範囲に含まれるか判断する（Ｓ２５）。含まれないと判断された場合（Ｓ２５；Ｎ）、制御部３０は、表示部３ｅに警告メッセージを表示させる（Ｓ３１）。
【０１６１】
（ラベル処理）
薬剤濃度の計測値が許容範囲に含まれると判断された場合（Ｓ２５；Ｙ）、シリンジ８００は、シリンジ搬送機構３１３によってラベル処理部３２に搬送される。識別情報記録部３２１は、薬剤用途情報２１３を参照し、ステップＳ５で読み取られた薬剤ＩＤ、薬剤名、薬剤濃度、ステップＳ２１で得られた調剤時刻等を示すバーコードと、これらの情報を示す文字列とをラベルＬに記録する（Ｓ２６）。
【０１６２】
このとき、薬剤用途情報２１３に示す当該薬剤の用途が混注用である場合には、図９（Ｂ）に示すように、情報記録部Ｌｃと再貼付部Ｌｄとを有するラベルＬにバーコード等を記録する。情報記録部Ｌｃと再貼付部Ｌｄは、切り離し可能な状態に連接されている。識別情報記録部３２１は、情報記録部Ｌｃのバーコード記録部Ｌａにバーコードを記録するとともに、情報表示部Ｌｂに文字列情報を記録する。一方、当該薬剤が混注用途でない場合には、図９（Ａ）に示すように、ラベルＬのバーコード記録部Ｌａにバーコードが記録され、情報表示部Ｌｂに文字列情報が記録される。
【０１６３】
次に、ラベル貼付部３２２は、情報が記録されたラベルＬをシリンジ８００に貼り付ける（Ｓ２７）。図９（Ａ）に示す通常のラベルＬを用いる場合、図１０（Ａ）に示すように、ラベルＬ全体がシリンジ８００に貼付される。一方、図９（Ｂ）に示す混注用のラベルＬを用いる場合には、図１０（Ｂ）に示すように、情報記録部Ｌｃの裏面の被覆部材のみが剥離されてシリンジ８００に貼付される。なお、再貼付部Ｌｄの裏面には接着剤が塗布されており、被覆部材がそのまま貼付されている。ユーザは、混注時に、ラベルＬをシリンジ８００から剥がすとともに再貼付部Ｌｄの被覆部材を剥がして、このラベルＬを点滴バッグに貼り付ける。
【０１６４】
ラベルＬが貼付されたシリンジ８００は、シリンジ取出部３ｃに配置され、ユーザによって取り出される（Ｓ２８）。
【０１６５】
制御部３０は、ステップＳ５で読み取られた薬剤ＩＤ、ステップＳ１２で指定された薬剤濃度、ステップＳ２１で得られた調剤時刻、ステップＳ２４で計測された薬剤濃度等の情報を、通信部３９を介して制御ユニット２に送信する（Ｓ２９）。
【０１６６】
制御ユニット２０の制御部２０は、薬剤濃度の指定値や計測値、調剤時刻、薬剤名、充填量等の調剤情報を、当該薬剤ＩＤに関連付けて情報記憶部２１に記憶させる（Ｓ３０）。以上で、薬剤の調合及びその薬剤のシリンジへの充填の処理は終了となる。
【０１６７】
〔調剤及びシリンジへの充填終了後：図１７〕
次に、図１７を参照しつつ、上述した薬剤の調合及びシリンジへの充填が終了した後の使用形態について説明する。ここでは、その薬剤が保管可能期間内に患者に投与されなかった場合について説明する。
【０１６８】
調剤及びシリンジへの充填が終了すると、制御ユニット２の制御部２０は、図１６のステップＳ３０にて記憶した調剤情報をモニタ２２１に表示させる（Ｓ４１）。制御ユニット２には、調剤ユニット３により調剤、シリンジへの充填が行われる度毎にその調剤情報が送信され、モニタ２２１には、これらの調剤情報のリストが表示される。このリストには、薬剤ＩＤ、薬剤名、薬剤濃度、調剤時間、保管可能期間情報２１０に示す保管可能期限などが表示される。医師や看護士は、このリストを参照することにより、調剤済みの薬剤が存在することや、薬剤の保管期限などを把握することができる。
【０１６９】
制御部２０は、計時部２３により計時される時刻と保管可能期間情報２１０とに基づいて、保管可能期間情報２１０に示す保管可能期限のたとえば１５分前になったこと検知し（Ｓ４２）、モニタ２２１に表示されたリストの当該薬剤に関わる表示内容の表示色を、異なる色に切り換える（Ｓ４３）。このとき、警告メッセージをモニタ２２１に表示させたり、音声出力部２２２から警告音声を出力させたりしてもよい。医師や看護士は、このような報知情報により、当該薬剤の使用期限が迫っていることを知ることができる。
【０１７０】
制御部２０は、計時部による計時時刻と保管可能期間情報２１０に基づいて、保管可能期限が到来したことを検知すると（Ｓ４４）、モニタ２２１に警告メッセージを表示して、当該薬剤の使用期限が経過した旨を報知する（Ｓ４５）。この警告メッセージは、当該薬剤が充填されたシリンジ８００がディスポーザユニット５に廃棄されるまで表示されている（Ｓ４６；Ｎ）。
【０１７１】
医師や看護士が、報知情報によって使用期限が経過したことを認識し、シリンジ８００をディスポーザユニット５の保管部５１に廃棄すると（Ｓ４６；Ｙ）、識別情報記録部５１が、このシリンジ８００に貼付されたラベルＬのバーコードを読み取る（Ｓ４７）。読み取られた情報は、通信部５２によって制御ユニット２に送信される。
【０１７２】
制御ユニット２の制御部２０は、ディスポーザユニット５からの情報に含まれる薬剤ＩＤと同じ薬剤ＩＤの薬剤に関わる表示内容をモニタ２２１から消去する（Ｓ４８）。なお、当該薬剤が廃棄されたことを示す情報（たとえば「廃棄済」等の文字列情報）をモニタ２２１に表示させてもよい。
【０１７３】
〔薬剤の投与：図１８、図１９〕
次に、図１８、図１９を参照しつつ、シリンジ８００に充填された混合薬剤７１０を患者に投与するときの使用形態について説明する。
【０１７４】
看護士等が、インジェクタユニット４のシリンジ配置部４ａにシリンジ８００を装着すると（Ｓ５１）、シリンジ回転機構４６によりシリンジ８００が回転される。識別情報読取部４５は、このシリンジ８００に貼付されたラベルＬのバーコードを読み取る（Ｓ５２）。制御部４０は、読み取られたバーコードに記録された薬剤ＩＤを制御ユニット２に送信する（Ｓ５３）。
【０１７５】
（保管期間の確認）
制御ユニット２の制御部２０は、インジェクタユニット４から受信した薬剤ＩＤに関連付けられた薬剤情報２１ａの保管可能期間情報２１０と、調剤時刻（図１６のステップＳ３０参照）とを情報記憶部２１から読み出す（Ｓ５４）。また、制御部２０は、インジェクタユニット４から薬剤ＩＤが受信されたときに計時部２３が計時している時刻（投薬時刻）を取得する（Ｓ５５）。
【０１７６】
保管期間算出部２０１は、調剤時刻と投薬時刻との時間間隔を算出する（Ｓ５６）。判断部２０２は、この算出された時間間隔が、保管可能期間情報２１０に示す保管可能期間を超えているか否か判断する（Ｓ５７）。超えていると判断された場合（Ｓ５７；Ｙ）、制御部２０は、報知部２２を制御して報知情報を出力させるとともに、インジェクタユニット４に信号を送信してＬＥＤ４４を点灯（点滅）させるなどして報知情報を出力させる（Ｓ７３）。更に、インジェクタユニット４の制御部４０は、制御ユニット２からの信号に基づいて、注入開始／停止ボタン４３からの入力信号を受け付けないようにする（Ｓ７４）。それにより、混合薬剤７１０の投与が禁止される。
【０１７７】
算出された時間間隔が保管可能期間以内と判断された場合（Ｓ５７；Ｎ）、制御部２０は、インジェクタユニット４から受信した薬剤ＩＤに関連付けられた薬剤情報２１ａと患者情報２１７をインジェクタユニット４に送信する（Ｓ５８）。ここで送信される情報には、薬剤禁忌情報２１４、注入速度許容範囲情報２１５、注入量許容範囲情報２１６、投薬履歴情報２１７及び患者禁忌情報２１８が少なくとも含まれる。インジェクタユニット４の制御部４０は、制御ユニット２からの情報を情報記憶部４７に記憶させる。
【０１７８】
（注入条件の確認）
医師や看護士は、注入条件設定部４２を操作して、混合薬剤７１０の注入速度と注入量を設定する（Ｓ５９）。制御部４０は、設定された注入速度が、注入速度許容範囲情報２１５に示す許容範囲に含まれるか判断する（Ｓ６０）。含まれていない場合（Ｓ６０；Ｎ）、制御部４０は、ＬＥＤ４４を点灯（点滅）させて報知を行う（Ｓ７５）。なお、インジェクタユニット４から制御ユニット２に判断結果を送信し、モニタ２２１や音声出力部２２２を用いて報知情報を出力するようにしてもよい（以下同様）。ユーザは、この報知情報により異常の発生を認識し、注入速度を変更するなどの対処を講ずる。
【０１７９】
注入速度の設定値が許容範囲に含まれている場合（Ｓ６０；Ｙ）、制御部４０は、設定された注入量が、注入量許容範囲情報２１６に示す許容範囲に含まれるか判断する（Ｓ６１）。含まれていない場合（Ｓ６１；Ｎ）、ＬＥＤ４４を点灯（点滅）させて報知を行う（Ｓ７５）。ユーザは、注入速度を変更するなどの対処を講ずる。
【０１８０】
（禁忌な薬剤であるか確認）
注入量の設定値が許容範囲に含まれていると判断された場合（Ｓ６１；Ｙ）、制御部４０は、ステップＳ５２で読み取られたバーコードに記録された薬剤ＩＤが、患者禁忌情報２１８に含まれているか判断する（Ｓ６２）。含まれている場合には（Ｓ６２；Ｙ）、ＬＥＤ４４を点灯（点滅）させて報知を行う（Ｓ７５）。ユーザは、この報知情報に基づき、別の薬剤に変更するなどの対処を講ずる。
【０１８１】
薬剤ＩＤが患者禁忌情報２１８に含まれていない場合（Ｓ６２；Ｎ）、制御部３０は、薬剤禁忌情報２１４と投薬履歴情報２１７に基づいて、シリンジ８００に充填された混合薬剤７１０が禁忌（併用に注意を要する薬剤）であるか判断する（Ｓ６３）。禁忌であると判断された場合（Ｓ６３；Ｙ）、制御部４０は、表示部３ｅに警告メッセージを表示させる（Ｓ７５）。
【０１８２】
一方、禁忌でないと判断された場合（Ｓ６３；Ｎ）、ユーザが注入開始／停止ボタン４３を操作すると（Ｓ６４）、制御部４０は、押圧機構部４Ｂを制御して混合薬剤７１０の注入を開始する（Ｓ６５）。また、混合薬剤７１０の注入開始に対応して、その薬剤ＩＤとともに注入速度、注入量等の情報が、インジェクタユニット４から制御ユニット２に送信される（Ｓ６６）。
【０１８３】
制御ユニット２の制御部２０は、インジェクタユニット４からの情報を受けて、その薬剤ＩＤに関連付けられた調剤情報（図１６のステップＳ３０参照）から薬剤濃度等の情報を取得するとともに、計時部２３による計時時刻を参照して、注入速度、注入量、薬剤濃度、注入開始時刻、薬剤名等の情報（注入開始情報）を、当該薬剤ＩＤに関連付けて情報記憶部２１に記憶させる（Ｓ６７）。
【０１８４】
また、制御部２０は、薬剤ＩＤ、当該患者の患者ＩＤ等の情報を医事会計コンピュータ２０００に送信する（Ｓ６８）。医事会計コンピュータ２０００は、受信した情報に基づいて、混合薬剤７１０の投与の対価を算出して当該患者の会計情報として医事会計データベース３０００に格納する（Ｓ６９）。
【０１８５】
混合薬剤７１０の注入が終了すると（Ｓ７０）、薬剤ＩＤ、注入速度、注入量等の情報が、インジェクタユニット４から制御ユニット２に送信される（Ｓ７１）。制御ユニット２の制御部２０は、インジェクタユニット４からの情報を受けて、注入速度、注入量、薬剤濃度、注入終了時刻、薬剤名等の情報（注入終了情報）を、当該薬剤ＩＤに関連付けて情報記憶部２１に記憶させる（Ｓ７２）。以上で、薬剤投与時の処理は終了となる。
【０１８６】
〔薬剤投与後：図２０〕
図２０を参照しつつ、インジェクタユニット４で薬剤を投与した後の使用形態について説明する。
【０１８７】
投薬が終了したら、看護士等は、インジェクタユニット４からシリンジ８００を取り外し、ディスポーザユニット５の保管部５０に廃棄する（Ｓ８１）。識別情報記録部５１は、このシリンジ８００に貼付されたラベルＬのバーコードを読み取る（Ｓ８２）。読み取られた情報は、通信部５２によって制御ユニット２に送信される。
【０１８８】
制御ユニット２のモニタ２２１には、各薬剤の調剤情報のリストが表示されている（図１７のステップＳ４１参照）。制御部２０は、ディスポーザユニット５からの情報に含まれる薬剤ＩＤと同じ薬剤ＩＤの薬剤を検索し、その薬剤の調剤情報をモニタ２２１から消去する（Ｓ８３）。また、制御部２０は、この薬剤が廃棄されたことを示す情報（廃棄済情報）を、その薬剤ＩＤに関連付けて情報記憶部２１に記憶させる（Ｓ８４）。
【０１８９】
消去された薬剤については、薬剤の保管可能期限の監視が中止され、保管可能期限が到来したとしても報知は行わない。
【０１９０】
それにより、情報記憶部２１には、調剤情報、注入開始情報、注入終了情報及び廃棄済情報が、薬剤ＩＤにそれぞれ関連付けられて記憶される。制御ユニット２は、これらの情報を患者ＩＤとともに医療情報データベース１０００に送信し、当該患者のカルテ情報１００１に追加する（Ｓ８５）。なお、注入開始情報と注入終了情報は、本発明の「投与情報」の一例である。
【０１９１】
［作用・効果］
以上のような本実施形態に係る薬剤投与システム１によれば、次のような作用、効果が奏される。
【０１９２】
この薬剤投与システム１は、調剤ユニット３により薬剤の調合を行うときに、薬剤の薬瓶９００に付されたバーコード９０３の読み取りを行う。調剤ユニット３は、読み取られた薬剤ＩＤに基づいて、作成された混合薬剤７１０の薬剤ＩＤをラベルＬに記録し、そのラベルＬをシリンジ８００に貼り付ける。
【０１９３】
制御ユニット２は、読み取られた薬剤ＩＤや別途入力された患者ＩＤに基づいて、医療情報データベース１０００から必要な情報（薬剤情報）を取得し、薬剤ＩＤに関連付けて情報記憶部２１に記憶させる。
【０１９４】
インジェクタユニット４は、シリンジ８００に充填された混合薬剤７１０を患者に投与するときに、シリンジ８００に添付されているラベルＬに記録されたバーコード（薬剤ＩＤ）を読み取る。
【０１９５】
制御ユニット２は、シリンジ８００のラベルＬから読み取られた薬剤ＩＤに関連付けられた薬剤情報をから読み出し、その薬剤情報に基づいて報知情報を出力する。また、調剤ユニット３やインジェクタユニット４は、その薬剤ＩＤに関連付けられた薬剤情報を、制御ユニット２の制御部２０に読み出させるとともに、その薬剤情報に基づいて報知情報を出力する。
【０１９６】
調剤時においては、調合される薬剤が当該患者に対して禁忌の薬剤でないか（ステップＳ９）、当該患者に過去に投与された薬剤との併用が禁忌でないか（ステップＳ１０）、薬瓶９００中には適正な量の薬剤が格納されているか（たとえば空ではないか）（ステップＳ１１）、ユーザが指定した薬剤濃度は適正か（ステップＳ１３）、液体薬剤７００の残量は十分か（ステップＳ１５）、調剤された混合薬剤７１０の薬剤濃度は適正か、などの判断がなされる。そして、判断結果が不適正を示す場合には、その旨を示す報知情報を出力するとともに、混合薬物の作成を禁止して処理を終了するようになっている。
【０１９７】
調剤後においては、作成された混合薬剤７１０の保管期間を監視し、保管可能期限が近づいたときに報知を行って医師等に警告を与えるとともに（ステップＳ４２、Ｓ４３）、保管可能期間を経過したときには、その混合薬剤７１０を廃棄すべき旨の警告メッセージを出力する（ステップＳ４４、Ｓ４５）。
【０１９８】
混合薬剤７１０の投与時においては、その混合薬剤７１０の保管可能期間が経過していないか（ステップＳ５７）、注入速度の設定値は適正か（ステップＳ６０）、注入量の設定値は適正か（ステップＳ６１）、この混合薬剤７１０が当該患者に対して禁忌の薬剤でないか（ステップＳ６２）、当該患者に過去に投与された薬剤との併用が禁忌でないか（ステップＳ６３）、などの判断がなされる。そして、判断結果が不適正を示す場合には、その旨を示す報知情報を出力するようになっている。
【０１９９】
また、作成された混合薬剤７１０が患者に投与されて廃棄されるまで、その調剤情報をモニタ２２１に表示させるようになっている。
【０２００】
したがって、本実施形態に係る薬剤投与システム１によれば、溶解日時を記録したにも拘わらず投薬を忘れてしまうミスや、溶解作業を一時中断した場合などに生理食塩水のみをシリンジに充填してしまうミスや、複数の薬剤を使用する際にシリンジを取り違えてしまうミスなどが効果的に防止される。
【０２０１】
また、薬剤投与システム１によれば、溶解作業や充填作業や投与作業において、薬剤名、濃度、投与量等の誤読、誤記、勘違いなどのヒューマンエラーの発生を効果的に回避できる。それにより、目的と異なる薬剤を投与してしまったり、禁忌の薬剤を投与してしまったり、溶解濃度を間違えて投与量を間違えたり、といったミスが発生する危険性を大きく低減させることができる。
【０２０２】
このように、本実施形態の薬剤投与システム１によれば、医療現場において調剤を行って使用する薬剤の投与ミスを防止することができる。可能な技術を提供することを目的としている。
【０２０３】
更に、この薬剤投与システム１は、薬剤濃度の指定値や計測値、調剤時刻、薬剤名、充填量などの調剤情報と、注入速度、注入量、薬剤濃度、注入開始時刻、薬剤名等の注入開始情報や注入終了情報とを、情報記憶部２１に記憶するようになっている（ステップＳ３０、Ｓ６７、Ｓ７２）。また、これらの情報は、薬剤廃棄後に医療情報データベース１０００のカルテ情報１００１に追加するようになっている。したがって、調剤時や薬剤投与時における情報の記録ミスを防止でき、前述のヒューマンエラー発生の危険性低減に有効である。
【０２０４】
また、薬剤投与システム１は、投与される混合薬剤７１０が保管可能期間を超えている場合に、その混合薬剤７１０の投与を禁止するように作用する（ステップＳ７４）。したがって、報知情報を看過してしまった場合などに、ユーザが注入開始を指示しても、期限の切れた混合薬剤７１０が誤って投与されてしまうことがない。
【０２０５】
また、調剤ユニット２は、混合薬剤７１０の調剤時間をラベルＬに記録するようになっているので、医師や看護士は、ラベルＬ上の調剤時間を見て、そのシリンジ８００に充填された混合薬剤７１０がいつ作成されたものか認識することができる。なお、混合薬剤７１０の保管可能期限となる時刻をラベルＬに記録するようにしてもよい。
【０２０６】
また、使用済みのシリンジ８００がディスポーザユニット５に廃棄されると、そのシリンジ８００に添付されたラベルＬのバーコードの読み取りを行う。制御ユニット２は、ディスポーザユニット５から情報を受けると、その混合薬剤７１０の保管可能期限の監視を停止し、それ以後の報知を行わないようになっているので、不要な報知情報の出力がなされることがない。
【０２０７】
また、制御ユニット２は、ディスポーザユニット５から情報を受けて、モニタ２２１に表示されている混合薬剤７１０の調剤情報をリストから削除するようになっている。したがって、モニタ２２１上のリストには、投与待ちの薬剤、投与中の薬剤、投与後廃棄されていない薬剤の調剤情報が表示されていることになる。ユーザは、このリストを参照することにより、どの薬剤が現在取り扱われているかを容易に把握できるので、投与ミス等の発生可能性が大きく低減される。
【０２０８】
［変形例］
以上に詳述した構成は、本発明を好適に実施するための一具体例に過ぎないものである。したがって、本発明の要旨の範囲内における任意の変形を適宜に施すことが可能である。
【０２０９】
上記の実施形態の薬剤投与システム１は、それぞれ個別の制御ユニット２、調剤ユニット３、インジェクタユニット４及びディスポーザユニット５により構成されているが、これらのユニット２〜５のうちの２つ以上を一体構成してもよい。また、ディスポーザユニット５については設ける必要はない。
【０２１０】
また、インジェクタユニット４については、薬剤注入を手作業で行うときなどには設ける必要はない。ただし、その場合においても、薬剤注入に使用されるシリンジに添付された識別情報（バーコード；薬剤ＩＤ）を読み取るための読取装置（第２の読取手段）は必要である。医師等は、シリンジに添付された識別情報をこの読取装置で読み取ってから薬剤注入を開始する。また、注入が終了したら再び識別情報の読み取りを行う。
【０２１１】
また、薬剤の調合のみ行う調剤ユニットを適用することもできる。その場合、調剤ユニットからは、調合された混合薬剤を格納した薬瓶が搬出される。ユーザは、この薬瓶にシリンジの針を刺し入れるなどして、手作業で混合薬剤をシリンジに充填する。
【０２１２】
また、薬瓶の内容物の確認動作は、上記実施形態における薬剤分量の計測（ステップＳ１１）によるものに限定されるものではない。たとえば、薬瓶が開封されていないことを示す金属製等の部材がキャップに設けられている場合、その部材の存否を検出することにより薬瓶の内容物が未だ使用されていないかどうか判断することができる。この構成を採用する場合には、当該部材を取り外すための機構を追加することが望ましい。また、キャップ上のゴム部材に孔が空いているが否かを検出することにより、過去に使用されたか否か判断するようにしてもよい。
【０２１３】
また、混合薬剤の期限が経過した場合に投薬を禁止する（ステップＳ７４）のと同様に、注入条件が不適正な場合（Ｓ６０；Ｎ、Ｓ６１；Ｎ）や、禁忌な薬剤である場合（Ｓ６２；Ｙ、Ｓ６３；Ｙ）である場合にも、投薬を禁止するようにしてもよい。ただし、特に手術中においては、その薬剤を緊急に投与しなければ患者の生命に危機を及ぼす場合などがあることから、これらの場合には投薬を禁止しないことが望ましいと考えられる。
【０２１４】
上記実施形態の調剤ユニット２は、図７に示すように、シリンジ８００に充填された液体薬剤７００を薬瓶９００内に出し入れすることにより、薬剤を溶解させるように構成されている。薬剤を同様に溶解させる別の構成として、まず、ピストン移動機構３１４により、シリンジ８００のシリンダ部８０１を固定した状態で、ピストン部８０２をシリンダ部８０１に対し相対的に移動させることにより、シリンジ８００内に充填された液体薬剤７００を薬瓶９００に注入するとともに、その薬瓶９００を揺動させたり回転させたりすることにより、その内容物を撹拌する撹拌機構（撹拌手段）を設けることができる。この撹拌機構は、薬瓶９００を揺動させるためのアクチュエータや、回転させるためのモータなどを含んで構成される。
【０２１５】
また、薬剤の調剤情報のリスト表示において、各薬剤の状態を示す情報を表示させることもできる。たとえば、インジェクタユニット４からの情報入力が未だされていない薬剤には、投与待ち状態を示す情報を表示させ、インジェクタユニット４からの情報入力はなされたが、ディスポーザユニット５からの情報入力が未だされていない薬剤には、廃棄待ち状態を示す情報を表示させることができる。
【０２１６】
また、ディスポーザユニット５の保管部５０の底部に重量計測器を設けることにより、使用されて廃棄されたシリンジであるか、又は、使用されずに廃棄されたシリンジであるかを判断することができる。たとえば、新たにシリンジが廃棄されたときに、当該廃棄前後の重量を比較することにより、このシリンジの重量を算出する。そして、このシリンジに最初に充填された充填量（薬剤ＩＤで特定される充填量情報２１９から得られる。）と、算出された重量とに基づいて、このシリンジが使用されたものか使用されなかったものか判断することができる。この処理は、たとえば制御ユニット２の制御部２０によって行われる。
【０２１７】
上記の実施形態では、薬瓶９００中の粉末状等の薬剤を生理食塩水（液体薬剤７００）で溶解して混合薬剤を作成しているので、混合薬剤は元の薬剤と本質的に同じものであることから、元の薬剤の薬剤ＩＤをそのまま混合薬剤の薬剤ＩＤに使用した。しかし、元の薬剤と混合薬剤とが本質的に異なる場合には、元の薬剤とは別の薬剤ＩＤを付与することが望ましい。その場合、調合される薬剤１、薬剤２のそれぞれの薬剤ＩＤを連ねて形成される文字列を、混合薬剤の薬剤ＩＤとして使用してもよい。
【０２１８】
また、調合に供される薬剤の種類は有限個であるから、それらを任意に組み合わせて形成される混合薬剤の種類も有限である。そこで、それら有限個の混合薬剤に対してあらかじめ薬剤ＩＤを設定しておくことができる。たとえば、調合に供される薬剤１〜９の薬剤ＩＤがそれぞれ「１１１１」、「２２２２」、・・・・、「９９９９」であるとしたら、薬剤１、２からなる混合薬剤の薬剤ＩＤを「ａａａａ」に、薬剤１、３からなる混合薬剤の薬剤ＩＤを「ｂｂｂｂ」に、薬剤１、４からなる混合薬剤の薬剤ＩＤを「ｃｃｃｃ」に、・・・といった要領で、薬剤１〜９の内の２つ以上を任意に調合して作成される混合薬剤の薬剤ＩＤをあらかじめ設定しておくことができる。
【０２１９】
また、薬剤ＩＤ等が記録されたラベルのシリンジへの貼り付けは、ユーザが手作業で行ってもよい。その場合、調剤ユニットからは、混合薬剤が充填されたシリンジとラベルとが搬出される。
【０２２０】
また、調剤ユニット３によって作成された混合薬剤を手作業で又は自動でシリンジに充填する場合において、その充填作業を開始するときに、調剤時刻からの時間間隔（経過時間）を算出し、その算出結果が、保管可能期間情報２１０に示す保管可能期間を超過しているか判断し、超過していると判断された場合に報知を行うように構成することも可能である。
【０２２１】
より具体的には、調剤ユニット３により作成された混合薬剤を格納する手段に薬剤ＩＤを記録し、その混合薬剤をシリンジに充填するときに当該記録された薬剤ＩＤを読み取って保管可能期間情報２１０を取得するように構成することができる。
【０２２２】
なお、混合薬剤を格納する手段として、既に薬剤ＩＤ（バーコード９０３）が付されている容器（たとえば薬瓶９００）を用いる場合には、薬剤ＩＤを改めて記録する必要はない。また、充填時における薬剤ＩＤの読み取りは、たとえば自動で行う場合には調剤ユニット３の識別情報読取部３７を用いることができ、また、たとえば手作業で行う場合には、別途用意されたバーコードリーダ等の読取手段などを用いることができる。
【図面の簡単な説明】
【０２２３】
【図１】本発明に係る薬剤投与システムの好適な実施形態の全体構成の一例を表すブロック図である。
【図２】本発明に係る薬剤投与システムの好適な実施形態の運用形態の一例を表す上面図である。
【図３】本発明に係る薬剤投与システムの好適な実施形態の制御ユニットの構成の一例を表すブロック図である。
【図４】本発明に係る薬剤投与システムの好適な実施形態の調剤ユニットの構成の一例を表すブロック図である。
【図５】本発明に係る薬剤投与システムの好適な実施形態の調剤ユニットの外観構成の一例を表す正面図である。
【図６】本発明に係る薬剤投与システムの好適な実施形態の調剤ユニットに投入される薬瓶の外観構成の一例を表す図である。
【図７】本発明に係る薬剤投与システムの好適な実施形態の調剤ユニットの液体薬剤供給部の構成の一例を表すとともに、調剤ユニットがシリンジに液体薬剤を充填させるときの動作の流れの一例を表す図である。
【図８】本発明に係る薬剤投与システムの好適な実施形態の調剤ユニットが薬剤を調合するときの動作の流れの一例を表す図である。
【図９】本発明に係る薬剤投与システムの好適な実施形態の調剤ユニットにより作成されるラベルの一例を表す図である。
【図１０】本発明に係る薬剤投与システムの好適な実施形態の調剤ユニットによるラベルの貼付形態の一例を表す図である。
【図１１】本発明に係る薬剤投与システムの好適な実施形態のインジェクタユニットの構成の一例を表すブロック図である。
【図１２】本発明に係る薬剤投与システムの好適な実施形態のインジェクタユニットの外観構成の一例を表すブロック図である。
【図１３】本発明に係る薬剤投与システムの好適な実施形態のディスポーザユニットの構成の一例を表すブロック図である。
【図１４】本発明に係る薬剤投与システムの好適な実施形態の使用形態の一例を表すフローチャートである。
【図１５】本発明に係る薬剤投与システムの好適な実施形態の使用形態の一例を表すフローチャートである。
【図１６】本発明に係る薬剤投与システムの好適な実施形態の使用形態の一例を表すフローチャートである。
【図１７】本発明に係る薬剤投与システムの好適な実施形態の使用形態の一例を表すフローチャートである。
【図１８】本発明に係る薬剤投与システムの好適な実施形態の使用形態の一例を表すフローチャートである。
【図１９】本発明に係る薬剤投与システムの好適な実施形態の使用形態の一例を表すフローチャートである。
【図２０】本発明に係る薬剤投与システムの好適な実施形態の使用形態の一例を表すフローチャートである。
【符号の説明】
【０２２４】
１  薬剤投与システム
２  制御ユニット
２０  制御部
２０１  保管期間算出部
２０２  判断部
２１  情報記憶部
２２  報知部
２２１  モニタ
２２２  音声出力部
２３  計時部
２４  操作部
２５  患者情報入力部
３  調剤ユニット
３ｄ  操作部
３ｅ  表示部
３０  制御部
３０Ａ  情報記憶部
３１  調剤部
３１１  液体薬剤供給部
３１２  薬瓶保持部
３１３  シリンジ搬送機構
３１４  ピストン移動機構
３２  ラベル処理部
３２１  識別情報記録部
３２２  ラベル貼付部
３３  シリンジ装填部
３４  薬剤濃度計測部
３５  キャップ着脱機構
３６  薬瓶格納量計測部
３７  識別情報読取部
３８  液体薬剤残量検出部
４  インジェクタユニット
４Ｂ  押圧機構部
４０  制御部
４２  注入条件設定部
４３  注入開始／停止ボタン
４４  ＬＥＤ
４５  識別情報読取部
４６  シリンジ回転機構
４７  情報記憶部
５  ディスポーザユニット
５０  保管部
５１  識別情報読取部
７００  液体薬剤
８００  シリンジ
８０１  シリンダ部
８０２  ピストン部
８０３  針
８０４  キャップ
９００  薬瓶
９０２  ゴム部材
９０３  バーコード
１０００  医療情報データベース
１００１  カルテ情報
１００２  薬剤情報
２０００  医事会計コンピュータ
３０００  医事会計データベース
Ｌ  ラベル
【図１】
2007117572.tif 000003
【図２】
2007117572.tif 000004
【図３】
2007117572.tif 000005
【図４】
2007117572.tif 000006
【図５】
2007117572.tif 000007
【図６】
2007117572.tif 000008
【図７】
2007117572.tif 000009
【図８】
2007117572.tif 000010
【図９】
2007117572.tif 000011
【図１０】
2007117572.tif 000012
【図１１】
2007117572.tif 000013
【図１２】
2007117572.tif 000014
【図１３】
2007117572.tif 000015
【図１４】
2007117572.tif 000016
【図１５】
2007117572.tif 000017
【図１６】
2007117572.tif 000018
【図１７】
2007117572.tif 000019
【図１８】
2007117572.tif 000020
【図１９】
2007117572.tif 000021
【図２０】
2007117572.tif 000022